(57)【要約】  送信器及び／又は受信器の１つ又は複数の識別子に基づき変調されている制御情報をＰｏｌａｒ符号化し、復号する方法及びデバイスを説明する。いくつかの実施形態は、制御情報ブラインド検出及び復号時のマルチモード・ブロック弁別のためのスクランブル系列設計を説明する。個別のスクランブル・マスクは、符号化ＤＣＩメッセージ内の異種のビット・フィールドに適用することができ、スクランブル・マスクのそれぞれは、ユーザ機器（ＵＥ）固有の識別子、ＵＥグループ識別子又は基地局識別子から得られる。Ｐｏｌａｒ符号の凍結ビットを使用して、ハイブリッド自動再送要求（ＨＡＲＱ）確認応答メッセージングを符号化、送信し、不成功の下りリンク・メッセージを早期に再送信することができる。ＵＥ識別階層化工程を用いて、復号工程の早期の終了とＵＥ識別工程の成功との間の平衡を改善することができる。【選択図】図２０
2020530973.tif 000002
【特許請求の範囲】
【請求項１】
基地局とワイヤレスに通信するように構成したユーザ機器（ＵＥ）であって、前記ＵＥは、
無線器；及び
前記無線器に動作可能に結合したプロセッサ
を備え、前記ＵＥは、
下りリンクメッセージが、前記基地局から正常に受信されたかどうかを決定し；
下りリンクメッセージが正常に受信されたかどうかという前記決定に基づき、複数の変調凍結ビットを生成するため、ハイブリッド自動再送要求（ＨＡＲＱ）確認応答メッセージに基づき、Ｐｏｌａｒ符号の複数の凍結ビットを変調し；
符号化ＨＡＲＱ確認応答メッセージを得るため、Ｐｏｌａｒ符号を使用して、前記複数の変調凍結ビット及び複数の情報ビットを符号化し；
前記符号化ＨＡＲＱ確認応答メッセージを前記基地局にワイヤレスに送信する
ように構成する、ユーザ機器（ＵＥ）。
【請求項２】
前記ＨＡＲＱ確認応答メッセージに基づく前記複数の凍結ビットの前記変調は、前記凍結ビットと同じ長さを有する擬似ランダム２値系列を得るため、前記ＨＡＲＱ確認応答メッセージに対して拡散マッピングを実施すること、及び前記複数の凍結ビットを前記擬似ランダム２値系列で変調することを含む、請求項１に記載のＵＥ。
【請求項３】
前記ＵＥは、
前記複数の凍結ビットを変調するため、複数の確認応答／否定確認応答（ＡＣＫ／ＮＡＣＫ）ビットに基づき、前記拡散マッピングの実施とブロック符号化とを組み合わせる
ように更に構成する、請求項２に記載のＵＥ。
【請求項４】
前記複数の情報ビットは、複数の変調情報ビットを含み、
前記ＵＥは、前記下りリンクメッセージが正常に受信されたかどうかの決定に応じて、前記ＨＡＲＱ確認応答メッセージに基づき、情報ビットを変調するように更に構成する、請求項１に記載のＵＥ。
【請求項５】
前記符号化ＨＡＲＱ確認応答メッセージは、超高信頼低遅延通信（ＵＲＬＬＣ）サービスに関連付けてワイヤレスに送信する、請求項１に記載のＵＥ。
【請求項６】
前記ワイヤレス送信は、前記基地局によってスケジュール設定した無線リソースを使用して実施する、請求項１に記載のＵＥ。
【請求項７】
前記符号化ＨＡＲＱ確認応答メッセージを受信し、前記符号化ＨＡＲＱ確認応答メッセージに対して復号工程を開始し、前記凍結ビットの復号したサブセットと、否定確認応答（ＮＡＣＫ）メッセージに関連付けた参照ビット系列との間の一致が、所定の閾値を上回ることを決定し、前記凍結ビット系列と、ＮＡＣＫメッセージに関連付けた参照ビット系列との間の一致が、所定の閾値を上回るという前記決定に基づき、前記ＵＥに対する前記下りリンクメッセージの早期再送信をスケジュール設定する前記基地局に応じて、前記ＵＥは、
前記下りリンクメッセージの早期再送信を受信する
ように更に構成する、請求項１に記載のＵＥ。
【請求項８】
下りリンクメッセージの早期再送信を実施する方法であって、前記方法は、
基地局によって、
ユーザ機器（ＵＥ）に下りリンクメッセージを送信すること；
前記ＵＥへの前記下りリンクメッセージの送信に応じて、前記ＵＥからＰｏｌａｒ符号化ハイブリッド自動再送要求（ＨＡＲＱ）確認応答メッセージを受信すること；
凍結ビット系列を得るため、前記Ｐｏｌａｒ符号化ＨＡＲＱ確認応答メッセージに対する復号工程を開始すること；
前記凍結ビット系列と、否定確認応答（ＮＡＣＫ）メッセージに関連付けた参照ビット系列との間の一致が、所定の閾値を上回ることを決定すること；及び
前記凍結ビット系列と、前記ＮＡＣＫメッセージに関連付けた参照ビット系列との間の一致が、所定の閾値を上回るという前記決定に基づき、前記ＵＥに対する前記下りリンクメッセージの早期再送信をスケジュール設定すること
を含む、方法。
【請求項９】
前記凍結ビット系列と、前記ＮＡＣＫメッセージに関連付けた参照ビット系列との間の一致が、所定の閾値を上回るという前記決定に基づき、前記復号工程の早期終了を実施すること
を更に含む、請求項８に記載の方法。
【請求項１０】
前記凍結ビット系列は、前記ＵＥによって、擬似ランダム２値系列（ＰＲＢＳ）で変調してあり、前記ＰＲＢＳは、未符号化ＨＡＲＱ確認応答メッセージに対する拡散マッピングの実施によって得られ、前記ＰＲＢＳは、前記Ｐｏｌａｒ符号内で利用される凍結ビットの総数と同じ長さである、請求項８に記載の方法。
【請求項１１】
前記拡散マッピングの実施は、複数のＡＣＫ／ＮＡＣＫビットを変調、符号化するため、ブロック符号化と組み合わせる、請求項１０に記載の方法。
【請求項１２】
前記複数の情報ビットは、複数の変調情報ビットを含み、前記変調情報ビットは、前記下りリンクメッセージの受信に応じて、前記ＨＡＲＱ確認応答メッセージでも変調する、請求項８に記載の方法。
【請求項１３】
前記Ｐｏｌａｒ符号化ＨＡＲＱ確認応答メッセージは、超高信頼低遅延通信（ＵＲＬＬＣ）サービスの一部として送信する、請求項８に記載の方法。
【請求項１４】
前記Ｐｏｌａｒ符号化ＨＡＲＱ確認応答メッセージを前記ＵＥから受信する前に、前記Ｐｏｌａｒ符号化ＨＡＲＱ確認応答メッセージを送信するため、前記ＵＥに向けた無線リソースをスケジュール設定すること
を更に含み、前記Ｐｏｌａｒ符号化メッセージは、前記スケジュール設定した無線リソースを通じ、前記基地局によって受信される、請求項８に記載の方法。
【請求項１５】
下りリンクメッセージの早期再送信を実施するように構成した基地局であって、前記基地局は、
無線器；
前記無線器に結合したプロセッサ
を備え、前記基地局は、
ユーザ機器（ＵＥ）に下りリンクメッセージを送信し；
前記ＵＥへの前記下りリンクメッセージの送信に応じて、前記ＵＥからＰｏｌａｒ符号化ハイブリッド自動再送要求（ＨＡＲＱ）確認応答メッセージを受信し；
凍結ビット系列を得るため、前記Ｐｏｌａｒ符号化ＨＡＲＱ確認応答メッセージに対する復号工程を開始し；
前記凍結ビット系列と、否定確認応答（ＮＡＣＫ）メッセージに関連付けた参照ビット系列との間の一致が、所定の閾値を上回ることを決定し；
前記凍結ビット系列と、前記ＮＡＣＫメッセージに関連付けた参照ビット系列との間の一致が、所定の閾値を上回るという前記決定に基づき、前記ＵＥに対する前記下りリンクメッセージの早期再送信をスケジュール設定する
ように構成する、基地局。
【請求項１６】
前記基地局は、
前記凍結ビット系列と、前記ＮＡＣＫメッセージに関連付けた参照ビット系列との間の一致が、所定の閾値を上回るという前記決定に基づき、前記復号工程の早期終了を実施する
ように更に構成する、請求項１５に記載の基地局。
【請求項１７】
前記凍結ビット系列は、前記ＵＥによって、擬似ランダム２値系列（ＰＲＢＳ）で変調してあり、前記ＰＲＢＳは、未符号化ＨＡＲＱ確認応答メッセージに対する拡散マッピングの実施によって得られ、前記ＰＲＢＳは、前記Ｐｏｌａｒ符号内で利用される凍結ビットの総数と同じ長さである、請求項１５に記載の基地局。
【請求項１８】
前記拡散マッピングの実施は、複数の確認応答／否定確認応答（ＡＣＫ／ＮＡＣＫ）ビットを変調、符号化するため、ブロック符号化と組み合わせる、請求項１７に記載の基地局。
【請求項１９】
前記複数の情報ビットは、複数の変調情報ビットを含み、前記変調情報ビットは、前記下りリンクメッセージの受信に応じて、前記ＨＡＲＱ確認応答メッセージでも変調する、請求項１５に記載の基地局。
【請求項２０】
前記基地局は、
前記Ｐｏｌａｒ符号化ＨＡＲＱ確認応答メッセージを前記ＵＥから受信する前に、前記Ｐｏｌａｒ符号化ＨＡＲＱ確認応答メッセージを送信するため、前記ＵＥに向けた無線リソースをスケジュール設定する
ように更に構成し、前記基地局は、前記スケジュール設定した無線リソースを通じ、前記Ｐｏｌａｒ符号化メッセージを受信するように更に構成する、請求項１５に記載の基地局。
【発明の詳細な説明】
【技術分野】
【０００１】
本発明の分野は、一般に、ワイヤレス通信で使用される復号器に関する。
【背景技術】
【０００２】
復号器は、多くのワイヤレス通信の分野で使用されている。送信器は、特定の受信器による受信を意図するメッセージを符号化することができる。意図する受信器が、符号化メッセージを探すべき場所（例えば時間及び／又は頻度の点での場所）の先験的知識を有さない場合、受信器は、ブラインド復号手順を受け、意図したメッセージに関する候補位置のセットを探索することができる。
【０００３】
ブラインド復号は、相当な時間及び計算リソースを必要とすることがある。というのは、受信器は、正確なメッセージを復号する前、多数の候補位置で、メッセージに対するブラインド復号を実施しなければならないことがあるためである。したがって、この分野における改善が望ましい。
【発明の概要】
【課題を解決するための手段】
【０００４】
送信器及び／又は受信器の１つ又は複数の識別子に基づき変調されている制御情報をＰｏｌａｒ符号化し、復号するシステム及び方法の様々な実施形態を説明する。送信器又は受信器のそれぞれは、ユーザ機器（ＵＥ）若しくは基地局であるか、又は別の種類の送信器若しくは受信器とすることができる。いくつかの実施形態は、制御情報ブラインド検出及び復号時のマルチモード・ブロック弁別のためのスクランブル系列設計を説明する。個別のスクランブル・マスクは、符号化制御メッセージ内の異種のビット・フィールドに適用することができ、スクランブル・マスクのそれぞれは、ユーザ機器（ＵＥ）固有の識別子、ＵＥグループ識別子又は基地局識別子に基づき得ることができる。他の実施形態では、スクランブル・マスクは、ペイロード・メッセージ、制御メッセージ、又は送信器及び受信器の両方に既知の参照ビット系列に基づき得ることができる。
【０００５】
いくつかの実施形態では、Ｐｏｌａｒ符号の凍結ビットを使用して、ハイブリッド自動再送要求（ＨＡＲＱ）確認応答メッセージを符号化、送信し、不成功の下りリンク・メッセージを早期に再送信することができる。
【０００６】
いくつかの実施形態では、ＵＥ識別階層化工程を用いて、復号工程の早期終了とＵＥ識別工程の成功との間の平衡を改善することができる。
【０００７】
本概要は、本文書で説明する主題の一部に関する短い概要を提供することを意図する。したがって、上記で説明した特徴は、例にすぎず、本明細書で説明する主題の範囲又は趣旨を決して狭めるものではないと解釈すべきであることは了解されよう。本明細書で説明する主題の他の特徴、態様及び利点は、以下の詳細な説明、図面及び特許請求の範囲から明らかになろう。
【０００８】
本発明のより良好な理解は、以下の図と共に、好ましい実施形態の以下の詳細な説明を考慮すれば得ることができる。
【図面の簡単な説明】
【０００９】
【図１】いくつかの実施形態によるワイヤレス通信環境を示す図である。
【図２】いくつかの実施形態による、基地局の有効範囲が重複するワイヤレス通信環境を示す図である。
【図３】いくつかの実施形態による例示的基地局を示すブロック図である。
【図４】いくつかの実施形態による例示的ＵＥを示すブロック図である。
【図５】いくつかの実施形態による、ビット系列を変調し、符号化する方法を示す流れ図である。
【図６】いくつかの実施形態による、受信したメッセージを復号し、復調する方法を示す流れ図である。
【図７】ｎ＝１１であるチャネル分極の一例の図である。
【図８】ｎ＝３である例示的Ｐｏｌａｒ符号器の図である。
【図９】ｎ＝３である例示的Ｐｏｌａｒ復号器の図である。
【図１０】ＬＴＥに対し規定したＤＣＩ符号化を示すフローチャート・ブロック図である。
【図１１】いくつかの実施形態による、Ｐｏｌａｒ符号を組み込むように適合したＤＣＩ符号化を示すフローチャート・ブロック図である。
【図１２】いくつかの実施形態による、後にＬＴＥによって使用されるパターン化したビットマスクの割り当ての図である。
【図１３】いくつかの実施形態による、提案するＮＲビットマスクの割り当ての図である。
【図１４】いくつかの実施形態による、逐次ビットマスクの割り当ての図である。
【図１５】いくつかの実施形態による、不一致（上）及び一致（下）に対する早期のブロック弁別を得るために移動平均を使用するデータの図である。
【図１６】いくつかの実施形態による、不一致（上）及び一致（下）に対する早期のブロック弁別を得るために移動平均を使用する更なるデータの図である。
【図１７】いくつかの実施形態による、不一致（上）及び一致（下）に対する早期のブロック弁別を得るために移動平均を使用するデータの図である。
【図１８】いくつかの実施形態による階層化ＵＥ識別を示すフローチャートである。
【図１９】いくつかの実施形態による、Ｐｏｌａｒ符号の凍結ビット及び／又は情報ビットにＨＡＲＱ  ＡＣＫ／ＮＡＣＫメッセージを挿入する方法を示すフローチャート図である。
【図２０】図１９に関連して説明する方法の受信器側からの継続を示すフローチャート図である。
【発明を実施するための形態】
【００１０】
本発明は、様々な修正及び代替形態が可能であるが、図の例として本発明の特定の実施形態を示し、本明細書で詳細に説明する。しかし、図面及び詳細な説明は、開示する特定の形態に対する本発明の限定を意図するものではなく、反対に、本発明は、添付の特許請求の範囲によって定義する本発明の趣旨及び範囲内にある全ての修正形態、等価物及び代替形態に及ぶことを理解されたい。
【００１１】
参照による組み込み
以下の引用文献は、引用文献の全体が本明細書内に十分に完全に記載されるかのように、参照により本明細書に組み込まれる。
１．「Ｐｏｌａｒ  Ｃｏｄｅ  Ｃｏｎｓｔｒｕｃｔｉｏｎ  ｆｏｒ  ＮＲ」、Ｈｕａｗｅｉ、ＨｉＳｉｌｉｃｏｎ、３ＧＰＰ  ＴＳＧ  ＲＡＮ  ＷＧ１  Ｍｅｅｔｉｎｇ  ＃８６ｂｉｓ、２０１６年１０月。
２．Ａｌｅｘｉｏｓ  Ｂａｌａｔｓｏｕｋａｓ−Ｓｔｉｍｍｉｎｇ、Ｍａｎｉ  Ｂａｓｔａｎｉ  Ｐａｒｉｚｉ及びＡｎｄｒｅａｓ  Ｂｕｒｇ、「ＬＬＲ−Ｂａｓｅｄ  Ｓｕｃｃｅｓｓｉｖｅ  Ｃａｎｃｅｌｌａｔｉｏｎ  Ｌｉｓｔ  Ｄｅｃｏｄｉｎｇ  ｏｆ  Ｐｏｌａｒ  Ｃｏｄｅｓ」、ＩＥＥＥ  Ｔｒａｎｓａｃｔｉｏｎｓ  ｏｎ  Ｓｉｇｎａｌ  Ｐｒｏｃｅｓｓｉｎｇ、２０１５年１０月。
３．３ＧＰＰ  ＴＳ  ３６．２１１：「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ」。
４．米国仮特許出願第６２／４５５，４４８号、発明の名称「Ｅａｒｌｙ  Ｂｌｏｃｋ  Ｄｉｓｃｒｉｍｉｎａｔｉｏｎ  ｗｉｔｈ  Ｐｏｌａｒ  Ｃｏｄｅｓ  ｔｏ  Ｆｕｒｔｈｅｒ  Ａｃｃｅｌｅｒａｔｅ  ＤＣＩ  Ｂｌｉｎｄ  Ｄｅｔｅｃｔｉｏｎ」
５．米国仮特許出願第６２／５０１，４９３号、発明の名称「Ｅａｒｌｙ  Ｂｌｏｃｋ  Ｄｉｓｃｒｉｍｉｎａｔｉｏｎ  ｗｉｔｈ  Ｐｏｌａｒ  Ｃｏｄｅｓ  ｔｏ  Ｆｕｒｔｈｅｒ  Ａｃｃｅｌｅｒａｔｅ  ＤＣＩ  Ｂｌｉｎｄ  Ｄｅｔｅｃｔｉｏｎ」
【００１２】
用語
以下は、本出願で使用する用語の解説である。
【００１３】
メモリ媒体−様々な種類のメモリ・デバイス又は記憶デバイスのいずれか。用語「メモリ媒体」は、インストール媒体、例えば、ＣＤ−ＲＯＭ、フロッピー・ディスク若しくはテープ・デバイス；ＤＲＡＭ、ＤＤＲ  ＲＡＭ、ＳＲＡＭ、ＥＤＯ  ＲＡＭ、Ｒａｍｂｕｓ  ＲＡＭ等のコンピュータ・システム・メモリ若しくはランダム・アクセス・メモリ；又は磁気媒体、例えば、ハード・ドライブ、光記憶装置、若しくはＲＯＭ、ＥＰＲＯＭ、ＦＬＡＳＨ等の不揮発性メモリを含むことを意図する。メモリ媒体は、他の種類のメモリ又はそれらの組合せを備えることもできる。更に、メモリ媒体は、プログラムを実行する第１のコンピュータ内に位置し得る、及び／又はインターネット等のネットワーク上で第１のコンピュータに接続する第２の異なるコンピュータ内に位置し得る。第２のコンピュータの場合、第２のコンピュータは、実行のためのプログラム命令を第１のコンピュータに提供することができる。用語「メモリ媒体」は、異なる場所、例えば、ネットワーク上で接続した異なるコンピュータに常駐し得る２つ以上のメモリ媒体を含むことができる。
【００１４】
搬送波媒体−上記のメモリ媒体、並びにバス、ネットワーク等の物理伝送媒体、及び／又は電気信号若しくは光信号等の信号を伝達する他の物理伝送媒体。
【００１５】
プログラム可能ハードウェア要素−複数のプログラム可能機能ブロックを備える様々なハードウェア・デバイスを含む。機能ブロックは、プログラム可能な相互接続又は配線接続した相互接続を介して接続する。例には、ＦＰＧＡ（フィールド・プログラマブル・ゲート・アレイ）、ＰＬＤ（プログラマブル論理デバイス）、ＦＰＯＡ（フィールド・プログラマブル・オブジェクト・アレイ）及びＣＰＬＤ（コンプレックスＰＬＤ）を含む。プログラム可能機能ブロックは、細粒度（組合せ論理又はルックアップ・テーブル）から粗粒度（論理演算ユニット又はプロセッサ・コア）に及ぶことができる。プログラム可能ハードウェア要素を「再構成可能論理要素」と呼ぶこともできる。
【００１６】
特定用途向け集積回路（ＡＳＩＣ）−この用語は、その通常の意味の完全な範囲を有することを意図する。用語ＡＳＩＣは、汎用プログラム可能デバイスではなく、特定用途向けにカスタマイズした集積回路を含むことを意図するが、ＡＳＩＣは、基本構成要素としてプログラム可能プロセッサ・コアを含み得る。携帯電話プロセッサ、ＭＰ３プレーヤ・チップ及び多くの他の単一機能ＩＣは、ＡＳＩＣの例である。ＡＳＩＣは、通常、Ｖｅｒｉｌｏｇ又はＶＨＤＬ等のハードウェア記述言語で記載される。
【００１７】
プログラム−用語「プログラム」は、その通常の意味の完全な範囲を有することを意図する。用語「プログラム」は、１）メモリ内に保存することができ、プロセッサによって実行可能なソフトウェア・プログラム、又は２）プログラム可能ハードウェア要素若しくはＡＳＩＣの構成に使用可能なハードウェア構成プログラムを含む。
【００１８】
ソフトウェア・プログラム−用語「ソフトウェア・プログラム」は、その通常の意味の完全な範囲を有することを意図し、メモリ媒体内に保存することができ、プロセッサによって実行されるあらゆる種類のプログラム命令、符号、スクリプト及び／若しくはデータ、又はそれらの組合せを含む。例示的なソフトウェア・プログラムは、テキストベースのプログラミング言語、例えば、Ｃ、Ｃ＋＋、ＰＡＳＣＡＬ、ＦＯＲＴＲＡＮ、ＣＯＢＯＬ、ＪＡＶＡ（登録商標）、アセンブリ言語等の命令型言語又は手続型言語で書かれたプログラム；グラフィカル・プログラム（グラフィカル・プログラミング言語で書かれたプログラム）；アセンブリ言語プログラム；機械語にコンパイルしてあるプログラム；スクリプト；及び他の種類の実行可能ソフトウェアを含む。ソフトウェア・プログラムは、何らかの様式で組み込む２つ以上のソフトウェア・プログラムを備えることができる。
【００１９】
ハードウェア構成プログラム−プログラム、例えば、プログラム可能ハードウェア要素若しくはＡＳＩＣをプログラムする又は構成するのに使用することができるネットリスト又はビット・ファイル。
【００２０】
コンピュータ・システム−様々な種類の計算又は処理システムのいずれかであり、パーソナル・コンピュータ・システム（ＰＣ）、汎用コンピュータ・システム、ワークステーション、ネットワーク機器、インターネット機器、携帯情報端末（ＰＤＡ）、グリッド計算システム、又は他のデバイス、又は他のデバイスの組合せを含む。一般に、用語「コンピュータ・システム」は、メモリ媒体からの命令を実行する少なくとも１つのプロセッサを有するあらゆるデバイス（又はデバイスの組合せ）を包含するように広く定義することができる。
【００２１】
自動的−ある行為若しくは動作を直接的に指定又は実施するユーザ入力を伴わずに、コンピュータ・システム（例えばコンピュータ・システムによって実行するソフトウェア）、又はデバイス（例えば回路、プログラム可能ハードウェア要素、ＡＳＩＣ等）によって実行される当該行為若しくは動作を指す。したがって、用語「自動的」は、ユーザによって手動で実施又は指定され、ユーザが動作を直接実施するために入力を与える動作とは対照的である。自動的な手順は、ユーザが与える入力によって開始することができるが、「自動的に」実施される後続の行為は、ユーザによって指定されない、即ち、ユーザが各行為の実施を指定するように「手動」で実施されない。例えば、コンピュータ・システムは、ユーザの行為に応じてフォームを更新しなければならないものの、ユーザは、各フィールドを選択し、指定情報の入力をもたらすことによって（例えば情報をタイプする、チェック・ボックスを選択する、無線器を選択する等によって）、電子フォームに記入し、フォームを手動記入する。フォームは、コンピュータ・システムによって自動的に記入してもよく、この場合、コンピュータ・システム（例えば、コンピュータ・システム上で実行するソフトウェア）は、フォームのフィールドを分析し、フィールドへの回答を指定するユーザ入力を伴わずにフォームに記入する。上記のように、ユーザは、フォームの自動記入を呼び出すことができるが、実際のフォーム記入に関与しない（例えば、ユーザは、フィールドへの回答を手動で指定するのではなく、回答は、自動的に完成する）。本明細書は、ユーザが取った行為に応じて自動的に実施される動作の様々な例を提供する。
【００２２】
詳細な説明
図１−ワイヤレス通信環境
図１は、複数の通信システムを含む例示的（及び簡略化した）ワイヤレス環境を示す。図１は、複数のユーザ機器デバイス（ＵＥ）１０６Ａ〜Ｃと通信する基地局（ＢＳ）１０２を含む例示的通信システムを示す。基地局１０２は、複数のワイヤレス通信デバイスとのセルラー通信を実施するセルラー基地局とすることができる。代替的に、基地局１０２は、８０２．１１規格又は関連規格に従うもの等、Ｗｉ−Ｆｉ通信を実施するワイヤレス・アクセス・ポイントとすることができる。ＵＥ１０６は、スマートフォン、タブレット・デバイス、コンピュータ・システム等、様々なデバイスのいずれかとすることができる。基地局１０２及びワイヤレス通信デバイス１０６の一方又は両方は、本明細書で説明する復号器論理を含むことができる。
【００２３】
図示の実施形態では、異なるＵＥ及び基地局は、同報ネットワーク及び／又はパケット交換セルラー・ネットワークを介して通信するように構成される。図１のシステムは、可能なシステムの単なる一例であり、実施形態は、必要に応じて、様々なシステムのいずれかで実施し得ることに留意されたい。
【００２４】
セルラー基地局１０２は、無線基地局（ＢＴＳ）又はセル・サイトとすることができ、ＵＥ１０６Ａ〜Ｃとのワイヤレス通信を可能にするハードウェアを含むことができる。基地局１０２は、コア・ネットワークと通信するように構成することもできる。コア・ネットワークは、１つ又は複数の外部ネットワークに結合することができ、１つ又は複数の外部ネットワークは、インターネット、公衆交換電話網（ＰＳＴＮ）及び／又はあらゆる他のネットワークを含むことができる。したがって、基地局１０２は、ＵＥデバイス１０６Ａ〜Ｃとネットワークとの間の通信を促進することができる。
【００２５】
同じ又は異なる無線アクセス技術（ＲＡＴ）又はセルラー通信規格に従って動作する基地局１０２及び他の基地局は、セル・ネットワークとして提供することができ、セル・ネットワークは、１つ又は複数のＲＡＴを介して幅広い地理領域にわたりＵＥ１０６Ａ〜Ｃ及び同様のデバイスに対し、重複するサービスを連続又はほぼ連続して提供することができる。
【００２６】
基地局１０２は、ＵＥ１０６Ａ〜Ｃに同報通信するように構成することができる。本明細書の用語「同報」は、特定のデバイスに宛てるのではなく、１から多数への送信を指すことができ、複数の受信デバイスに向けて同報領域内で送信されるものである。更に、同報送信は、典型的には、（送信器から受信器への）単方向性である。いくつかの状況では、制御信号方式（例えば視聴率情報）は、受信器から同報送信器に送信し返すことができるが、成分データは、一方向のみで送信される。対照的に、セルラー通信は、典型的には、双方向性である。セルラー通信は、セル間のハンドオフを含むこともできる。例えば、ＵＥ１０６Ａ（及び／又はＵＥ１０６Ｂ〜Ｃ）が、セルラー基地局１０２によってサービスされるセルから出た際、セルラー通信は、別のセルラー基地局に引き継ぐことができる（この引き継ぎは、基地局１０２及び他のセルラー基地局が実施する動作を含むネットワークによって処理することができる）。対照的に、ユーザが第１の同報基地局によって含まれる範囲から第２の同報基地局によって含まれる範囲に移動すると、第２の同報基地局からの成分を受信するように切り替えることができるが、基地局は、引き継ぎを促進する必要はない（例えば、第１の同報基地局及び第２の同報基地局は、単に同報を継続するにすぎず、特定のＵＥが使用しているのはどちらの基地局であるかを考慮しない）。
【００２７】
従来、ブロードキャスト送信は、セルラー送信とは異なる周波数リソースを使用して実施される。しかし、いくつかの実施形態では、周波数リソースは、これら異なる種類の送信の間で共有される。例えば、いくつかの実施形態では、ブロードキャスト基地局は、予定した時間間隔の間、セルラー基地局がパケット交換通信で使用するために、１つ又は複数の周波数帯域を放棄するように構成される。
【００２８】
いくつかの実施形態では、ブロードキャスト基地局又はセルラー基地局が送信する制御信号方式は、エンド・ユーザ・デバイスが、（ネットワークの混乱をなくすことができる）完全な信号接続を維持し、（例えば、基地局が送信していない際に低電力モードに留まる時間を決定することによって）バッテリー寿命を延長する、及び／又は（例えば、不規則な有効範囲若しくは一時的なネットワーク停止としてスペクトル共有期間を知覚するのではなく）有効範囲の検出を能動的に管理することを可能にする。
【００２９】
基地局１０２並びにＵＥ１０６Ａ、１０６Ｂ及び１０６Ｃは、伝送媒体上で通信するように構成することができ、この通信は、ＵＭＴＳ、ＬＴＥ−Ａ、ＣＤＭＡ２０００（例えば１ｘＲＴＴ、１ｘＥＶ−ＤＯ、ＨＲＰＤ、ｅＨＲＰＤ）、新型テレビジョン・システム委員会（ＡＴＳＣ）規格、デジタル・ビデオ放送（ＤＶＢ）、衛星通信規格等の他の可能なものの中でも、ＬＴＥ、５Ｇ  Ｎｅｗ  Ｒａｄｉｏ（ＮＲ）、次世代放送プラットフォーム（ＮＧＢＰ）、Ｗ−ＣＤＭＡ、ＴＤＳ−ＣＤＭＡ及びＧＳＭ（登録商標）等、様々なＲＡＴ（ワイヤレス通信技術又は電気通信規格とも呼ばれる）のいずれかを使用することによる。
【００３０】
本明細書では、同報ネットワーク及びセルラー・ネットワークは、例示を容易にするように説明するが、これらの技術は、本開示の範囲の限定を意図するものではなく、他の実施形態では、開示する方法及び技法は、いずれかの様々な種類のワイヤレス・ネットワークの間で使用することができる。
【００３１】
図２−複数の基地局を有するワイヤレス通信環境
図２は、基地局１０２Ａ及び１０２Ｂを含む例示的ワイヤレス通信システムを示し、基地局１０２Ａ及び１０２Ｂは、伝送媒体上で、ＵＥ１０６Ａ〜１０６Ｃとして表す１つ又は複数のユーザ機器（ＵＥ）デバイスと通信する。図２の通信環境は、上記の図１で説明したものと同様に機能することができる。しかし、図２は、中心ＵＥ１０６Ｂが、基地局１０２Ａ及び１０２Ｂの両方の範囲内で動作することができることを示す。これらの実施形態では、ＵＥ１０６Ｂは、基地局１０２Ａからの通信の受信を意図した場合に基地局１０２Ｂからの通信を誤って受信することがある。この影響をセル間干渉と呼ぶことができ、本明細書の実施形態は、セル有効範囲重複領域内でセル間干渉を効率的に回避する新規な方法を説明する。
【００３２】
図３−基地局
図３は、基地局１０２の例示的ブロック図を示す。いくつかの実施形態では、基地局１０２は、図２の基地局１０２Ａ等の同報基地局及び／又は図２の基地局１０２Ｂ等のセルラー基地局とすることができる。図３の基地局は、可能な基地局の一例にすぎないことに留意されたい。図示のように、基地局１０２は、基地局１０２のためのプログラム命令を実行し得るプロセッサ（複数可）３０４を含むことができる。プロセッサ（複数可）は、メモリ管理ユニット（ＭＭＵ）３４０にも結合することができ、メモリ管理ユニット（ＭＭＵ）３４０は、プロセッサ（複数可）３０４からアドレスを受信し、メモリ内の場所（例えばメモリ３６０及び読取り専用メモリ（ＲＯＭ）３５０）又は他の回路若しくはデバイスにこれらのアドレスを伝達するように構成することができる。
【００３３】
基地局１０２は、少なくとも１つのネットワーク・ポート３７０を含むことができる。ネットワーク・ポート３７０は、電話ネットワークに結合し、上記のＵＥデバイス１０６等の複数のデバイスに電話ネットワークへのアクセスを提供するように構成することができる。いくつかの実施形態では、ネットワーク・ポート３７０（又は更なるネットワーク・ポート）は、テレビ・ネットワークに結合し、同報用成分を受信するように構成することができる。ネットワーク・ポート３７０（又は更なるネットワーク・ポート）は、同じく又は代替的に、セルラー・ネットワーク、例えば、セルラー・サービス・プロバイダのコア・ネットワークに結合するように構成することができる。コア・ネットワークは、ＵＥデバイス１０６等の複数のデバイスにモビリティ関連サービス及び／又は他のサービスを提供することができる。場合によっては、ネットワーク・ポート３７０は、コア・ネットワークを介して電話ネットワークに結合することができる、及び／又はコア・ネットワークは、（例えば、セルラー・サービス・プロバイダによってサービスされる他のＵＥデバイス１０６の間に）電話ネットワークを提供することができる。
【００３４】
基地局１０２は、少なくとも１つのアンテナ３３４を含むことができる。無線器３３０及び通信チェーン３３２は、ワイヤレス送受信器として動作するように構成することができ、無線器３３０を介してＵＥデバイス１０６と通信するように更に構成することができる。アンテナ３３４は、図示の実施形態では、通信チェーン３３２を介して無線３３０と通信する。通信チェーン３３２は、受信チェーン、送信チェーン又はこれらの両方とすることができる。無線３３０は、様々なＲＡＴを介して通信するように構成することができる。
【００３５】
基地局１０２のプロセッサ（複数可）３０４は、例えば、メモリ媒体（例えば非一時的コンピュータ可読メモリ媒体）上に保存したプログラム命令を実行することによって、本明細書で説明する方法の一部又は全てを実施するように構成することができる。代替的に、プロセッサ３０４は、ＦＰＧＡ（フィールド・プログラマブル・ゲート・アレイ）若しくはＡＳＩＣ（特定用途向け集積回路）等のプログラム可能ハードウェア要素又はそれらの組合せとして構成することができる。いくつかの実施形態では、プロセッサ、ＭＭＵ及びメモリは、分散マルチプロセッサ・システムとすることができる。例えば、プロセッサ・システムは、複数の点在プロセッサ及びメモリを備えることができ、処理要素（機能ユニットとも呼ばれる）はそれぞれ、データ・メモリ・ルータとも呼ばれる複数のメモリに接続される。プロセッサ・システムは、本明細書で説明する方法を実施するようにプログラムすることができる。
【００３６】
いくつかの実施形態では、基地局１０２は、同報通信及び双方向パケット交換通信の両方を実施するように構成される。これらの実施形態では、基地局１０２は、例えば、複数の無線器３３０、通信チェーン３３２及び／又はアンテナ３３４を含むことができる。他の実施形態では、開示するスペクトル共有技法は、同報送信のみ又はパケット交換通信のみを実施するように構成する異なる基地局によって実施することができる。
【００３７】
図４−ユーザ機器（ＵＥ）
図４は、ＵＥ１０６の例示的簡略ブロック図を示す。ＵＥ１０６という用語は、上記で定義した様々なデバイスのいずれかとすることができる。ＵＥデバイス１０６は、様々な材料のいずれかから構成し得る筐体を含むことができる。
【００３８】
図示のように、ＵＥ１０６は、様々な目的の部分を含み得るシステム・オン・チップ（ＳＯＣ）４００を含むことができる。ＳＯＣ４００は、ＵＥ１０６の様々な他の回路に結合することができる。例えば、ＵＥ１０６は、（例えばＮＡＮＤフラッシュ４１０を含む）様々な種類のメモリ、（例えばコンピュータ・システム、ドック、充電ステーション等に結合する）コネクタ・インターフェース４２０、表示器４６０、ＬＴＥ、５Ｇ  Ｎｅｗ  Ｒａｄｉｏ（ＮＲ）、ＧＳＭ、Ｂｌｕｅｔｏｏｔｈ（登録商標）（ＢＴ）、ＷＬＡＮ、地上波放送及び／又は衛星放送等のためのワイヤレス通信回路４３０を含むことができる。ＵＥ１０６は、ＳＩＭ（加入者識別モジュール）機能を実装する１つ又は複数のスマート・カードを更に備えることができる。ワイヤレス通信回路４３０は、アンテナ４３５等の１つ又は複数のアンテナに結合することができる。
【００３９】
図示のように、ＳＯＣ４００は、ＵＥ１０６のためのプログラム命令を実行し得るプロセッサ（複数可）４０２、及びグラフィックス処理を実施し、表示信号を表示器４６０に供給し得る表示回路４０４を含むことができる。プロセッサ（複数可）４０２は、メモリ管理ユニット（ＭＭＵ）４４０にも結合することができ、メモリ管理ユニット（ＭＭＵ）４４０は、プロセッサ（複数可）４０２からアドレスを受信し、メモリ内の場所（例えばメモリ４０６、ＮＡＮＤフラッシュ・メモリ４１０）及び／又は表示回路４０４、ワイヤレス通信回路４３０、コネクタＩ／Ｆ４２０及び／又は表示器４６０等の他の回路若しくはデバイスにこれらのアドレスを伝達するように構成することができる。ＭＭＵ４４０は、メモリ保護及びページ・テーブル変換又はセットアップを実施するように構成することができる。いくつかの実施形態では、ＭＭＵ４４０は、プロセッサ（複数可）４０２の一部分として含むことができる。いくつかの実施形態では、プロセッサ、ＭＭＵ及びメモリは、分散マルチプロセッサ・システムとすることができる。例えば、プロセッサ・システムは、複数の点在プロセッサ及びメモリを備えることができ、処理要素（機能ユニットとも呼ばれる）はそれぞれ、データ・メモリ・ルータとも呼ばれる複数のメモリに接続される。プロセッサ・システムは、本明細書で説明する方法を実施するようにプログラムすることができる。
【００４０】
いくつかの実施形態（図示せず）では、ＵＥ１０６は、例えば図２の同報基地局１０２Ａからワイヤレス同報を受信するように構成する。これらの実施形態では、１０６は、同報無線受信器を含むことができる。いくつかの実施形態では、ＵＥ１０６は、異なる時間スライスの間、同報データを受信し、同時に、異なる周波数帯域及び／又は同じ周波数リソースを使用してパケット交換セルラー通信（例えばＬＴＥ）を実施するように構成する。このことは、ユーザが、ＴＶ同報を視聴する一方で、（例えば分割画面モードで）インターネットを閲覧する、ウェブ・アプリケーションを使用する、又はストリーミング・オーディオを聴く等、他のタスクを実施することを可能にする。他の実施形態では、開示する技法は、同報受信器として構成したデバイス、又はセルラー通信用デバイスと共にシステム内で使用することができるが、両方のデバイスと共に使用しなくてもよい。
【００４１】
ＵＥデバイス１０６のプロセッサ４０２は、例えば、メモリ媒体（例えば非一時的コンピュータ可読メモリ媒体）上に保存したプログラム命令を実行することによって、本明細書で説明する特徴の一部又は全てを実施するように構成することができる。代替的に（又は更に）、プロセッサ４０２は、ＦＰＧＡ（フィールド・プログラマブル・ゲート・アレイ）若しくはＡＳＩＣ（特定用途向け集積回路）等のプログラム可能ハードウェア要素として構成することができる。代替的に（又は更に）、ＵＥデバイス１０６のプロセッサ４０２は、他の構成要素４００、４０４、４０６、４１０、４２０、４３０、４３５、４４０、４６０の１つ又は複数と連携して、本明細書で説明する特徴の一部又は全てを実施するように構成することができる。
【００４２】
ＵＥ１０６は、表示器４６０を有することができ、表示器４６０は、静電容量性接触電極を組み込むタッチ・スクリーンとすることができる。表示器４６０は、様々な表示技術のいずれかに基づくことができる。ＵＥ１０６の筐体は、ボタン、スピーカ・ポート等の様々な要素、及びマイクロフォン、データ・ポート等の他の要素（図示せず）、並びに可能性としては様々な種類のボタン、例えば音量ボタン、呼び出しボタン等のいずれかのための開口を含む又は備えることができる。
【００４３】
ＵＥ１０６は、複数の無線アクセス技術（ＲＡＴ）を支持することができる。例えば、ＵＥ１０６は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、ユニバーサル移動通信システム（ＵＭＴＳ）、符号分割多元接続（ＣＤＭＡ）（例えばＣＤＭＡ２０００  １ＸＲＴＴ又は他のＣＤＭＡ無線アクセス技術）、ロング・ターム・エボリューション（ＬＴＥ）、ＬＴＥ  Ａｄｖａｎｃｅｄ（ＬＴＥ−Ａ）、５Ｇ  ＮＲ及び／又は他のＲＡＴの２つ以上等、様々なＲＡＴのいずれかを使用して通信するように構成することができる。例えば、ＵＥ１０６は、ＬＴＥ及びＧＳＭ等の少なくとも２つの無線アクセス技術を支持することができる。様々な異なるＲＡＴ又は他のＲＡＴを必要に応じて支持することができる。
【００４４】
いくつかの実施形態では、ＵＥ１０６は、音声及び／又は映像成分を搬送し得る同報無線送信を受信するようにも構成される。また他の実施形態では、ＵＥ１０６は、同報無線送信を受信するように構成することができ、基地局との双方向通信を実施するように構成しなくてもよい（例えば、ＵＥ１０６は、メディア再生デバイスとすることができる）。
【００４５】
ＵＥ固有制御メッセージ
現在のセルラー通信システムでは、基地局は、それぞれ、特定のユーザ機器デバイス（ＵＥ）による受信を意図した複数の制御メッセージ（例えば下りリンク制御情報メッセージ）を同報することができる。いくつかの実施形態では、正確なＵＥが特定のメッセージを受信することを保証するため、基地局は、制御メッセージの末尾に巡回冗長検査（ＣＲＣ）を付加することができ、巡回冗長検査（ＣＲＣ）は、最終ＣＲＣと呼ばれることがある。追加又は代替として、分散ＣＲＣを用いることができ、これにより、ＣＲＣビットは、制御メッセージの情報ビット及び／又は凍結ビット全体を通じて分散される。いくつかの実施形態では、基地局は、ユーザ機器識別子（ＵＥ＿ＩＤ）に従って、特定の下りリンク制御情報（ＤＣＩ）メッセージに付したＣＲＣにスクランブルをかけることができる。特定のＵＥ＿ＩＤは、単一のＵＥ又は１つ若しくは複数のＵＥのグループと関連付けることができる。これらの実施形態では、誤ったＵＥ（例えばＣＲＣにスクランブルをかけるのに使用したＵＥ＿ＩＤとは異なるＵＥ＿ＩＤを有するＵＥ）がＣＲＣのスクランブルを解除しようとすると、ＣＲＣエラーがもたらされ、このメッセージを放棄することができる。したがって、ＵＥ＿ＩＤが一致するＵＥのみが、ＣＲＣのスクランブルを正確に解除し、ＤＣＩメッセージを承認することができる。ＵＥが、リソース・ブロック内でＣＲＣが不成功であるというメッセージを受信した場合、ＵＥは、このメッセージがそのＵＥに向けられたものではないとみなし、このメッセージを放棄することができる。
【００４６】
スクランブルをかけた最終ＣＲＣを制御メッセージに付加することは、メッセージが正確なＵＥによって受信されることを検証するのに効果的な方法であり得るが、本方法は、この検査を実施し得る前に、制御メッセージ全体を復号することを必要とすることが多い。本明細書で説明する実施形態は、この復号プロセスの間、不一致のＵＥ＿ＩＤに対する早期終了を実施する様々な方法を可能にすることによって、この方法に改善を加える。本明細書の実施形態は、ＣＥＬＬ＿ＩＤに基づき、制御メッセージのサブセットにスクランブルをかけることによってセル間干渉を軽減することにより、この方法に更に改善を加える。
【００４７】
本明細書で説明するいくつかの実施形態によれば、提案する方法は、Ｐｏｌａｒ符号の特性を活用し、これにより、送信器及び受信器に既知である情報を凍結ビット及び／又は情報ビットに挿入し、送信器及び／又は受信器のＩＤ検証を促進することができる。例えば、典型的なＣＲＣ方法の欠点は、ＵＥが、メッセージ全体を復号する後までＣＲＣ検査を実施できないことである。Ｐｏｌａｒ符号の特性を活用することによって、本明細書に記載の実施形態は、復号工程が完了する前に、メッセージがＵＥに向けたものであるかどうかをＵＥが決定することを可能にする。これらの実施形態では、ＵＥ＿ＩＤに基づき生成した擬似ランダム系列を凍結ビットに埋め込み、受信器が、受信器のためのブロックと、別のユーザに向けたブロックとを識別するのを助けることができる。有利には、このことは、符号レート、ユーザ・スループット又は復号信頼性に影響を与えずに行うことができる。典型的な数の有用凍結ビットに対するＵＥ＿ＩＤの有限範囲を考慮すると、方法は、擬似ランダム・ビット系列を得ることができ、この擬似ランダム・ビット系列は、凍結ビット・フィールド範囲に一致し、ＵＥ＿ＩＤに基づく。
【００４８】
現在のセルラー通信システム（例えば、ＬＴＥ、及び可能性としてはＮＲ）において、基地局（即ち、ＬＴＥ内のｅＮｏｄｅＢ又はｅＮＢ又はＮＲ内のｇＮＢ）は、予め定義した候補位置セット内の多数のＵＥに向けてＤＣＩを多重化することができる。このことは、当該ＵＥに向けたＤＣＩを他のユーザのためのＤＣＩに対して識別するため、ブラインド検出手順を利用し、各候補位置に問い合わせ得るという特定の負担をＵＥにかける。
【００４９】
本明細書の実施形態は、ブラインド検出手順を促進する。というのは、ｇＮＢは、ＵＥ固有マスクによりＰｏｌａｒ符号の凍結ビットにスクランブルをかけ、ユーザ識別を促進することができるためである。いくつかの実施形態では、セル固有マスクに従ってＤＣＩの情報ビットに更にスクランブルをかけ、隣接セルの干渉を軽減することができる。
【００５０】
本明細書の実施形態は、ＵＥデバイスと通信する基地局に関して説明し得るが、説明する方法を、一般に、多くの異なる種類の送信器及び受信器に適用し得ることは容易に理解できよう。特に、送信器が特定の受信器へ通信を送信しようとする場合、また、受信器が、以下の両方又はいずれか：ａ）送信器の識別、及び／又はｂ）送信が特定の受信器に向けたものであったことを検証する必要がある場合、あらゆる送信器／受信器の対は、本明細書に記載の実施形態の実施から利益を得ることができる。更に、いくつかの実施形態をＬＴＥ又は５Ｇ  ＮＲ無線アクセス技術に関して説明するが、記載する実施形態は、他の種類の無線アクセス技術により広く適用することができる。
【００５１】
本明細書の実施形態は、スクランブル系列設計を説明するものであり、スクランブル系列設計は、ＬＴＥによって示される目標を基礎とし、Ｐｏｌａｒ符号に一意である属性の活用により、マルチモード・ブロック弁別を含む設計の可能性を拡張し、統一フレームワーク内で早期終了を可能にする。いくつかの実施形態では、Ｐｏｌａｒ符号構成のそれぞれの部分に、異なる目的で個別のマスクが割り当てられ、異なる目的とは、ＵＥ識別、現在のユーザに向けたものではないブロックに対して消費されるエネルギーを最小化するブラインド復号の早期終了、及び／又は隣接セルの干渉軽減である。ブラインド復号の早期終了は、有利には、携帯デバイスの全体的なエネルギー消費量を低減することができる。
【００５２】
いくつかの実施形態では、ＬＴＥが使用するＣＲＣスクランブルを保持する方法を提示する。いくつかの実施形態では、ＣＲＣは、ＬＴＥが使用する様式とは異なる様式でスクランブルをかけることができる。いくつかの実施形態では、Ｐｏｌａｒ符号凍結ビット・フィールドに挿入されるＵＥ固有擬似ランダム２値系列（ＰＲＢＳ）は、早期終了を可能にする。これらの実施形態は、ＣＲＣを実施し得る前にメッセージ全体を復号する必要がある以前の実装形態に改善を加えることができる。優れた相互相関特性を考慮して、ＰＲＢＳは、単独のＣＲＣスクランブルがもたらす符号分離以上に改良された符号分離をもたらすことができる。
【００５３】
いくつかの実施形態では、ＣＥＬＬ＿ＩＤから得られる第２のＰＲＢＳマスクを情報ビット・フィールドに適用し、ＬＴＥで有用なセル分離に類似するセル分離をもたらす。いくつかの実施形態では、第１のＰＲＢＳマスク及び第２のＰＲＢＳマスクのそれぞれは、統一弁別マスク集合体として一緒に適用することができ、ユーザ識別、及び早期終了、並びに隣接セルの干渉軽減を同時に可能にする。
【００５４】
早期終了（ＥＴ）のメトリック
いくつかの実施形態では、早期のブロック弁別は、最終ＣＲＣのより十分前の、規定の凍結ビット符号化に基づく早期の識別情報検証に依拠する。受信器は、復号工程における任意の点で、現在の受信器に向けたものとみなされないブロックを終了することを選択することができる。効果的なＥＴメトリックは、有利には、別のユーザのためのブロックの調査に費やすエネルギーを低減する一方で、受信器に向けたブロックが不一致であると誤って解釈する可能性も低減することができる。
【００５５】
様々なメトリックを埋め込み型ＵＥ＿ＩＤから得、早期終了を促進することができる。効果的なＥＴメトリックの必要条件は、限定はしないが、（ｉ）メトリックが、復号器内でビット単位ごとにアクセス可能なパラメータのみを用い；（ｉｉ）代表的なクラスの複合器アルゴリズムに既に一体化している可能な活用計算程度までとし；（ｉｉｉ）それ以外の場合、計算負荷及び有限精度要件を、ベースライン複合器によって使用されるものに整合することを含み得る。
【００５６】
様々な実施形態では、異なる早期終了メトリックを用いることができる。いくつかの実施形態では、閾値を適用し、一致ケースにおけるパス・メトリック（ＰＭ）成長を、不一致ケースにおけるパス・メトリック（ＰＭ）成長から弁別することができる。いくつかの実施形態では、ＥＴメトリックは、直接的系列検出、及びＰＭ成長と比較した、各ビット位置における平均値についてのＰＭ分散を含むことができる。当業者には明らかであるように、不一致から一致を弁別する他のＥＴメトリックも可能である。
【００５７】
階層化ＵＥ識別
以下で更に詳細に説明するように、いくつかの実施形態では、割り当てたＵＥ＿ＩＤにおける不一致に基づきブロックを終了するため、多数の基準を使用することができる。第１の利用可能なＥＴ決定は、凍結ビットへのＵＥ＿ＩＤの挿入に関して行うことができる。対応するＥＴメトリックにおける合格（ＰＡＳＳ）を使用し、最初に、分散ＣＲＣ検査に基づき推定したＵＥ＿ＩＤの有効性に更にアクセスする必要性を示すことができる。次に、分散ＣＲＣ検査に合格した場合、ＵＥ＿ＩＤ検証は、最終ＣＲＣ検査を受けることができる。最後に、全ての３つのメトリックに合格することにより、有効なＤＣＩ復号をもたらすことができる。凍結ビットの挿入又はＣＲＣの分散に関する失敗は、処理時間／エネルギーの正味の節約が生じることが意図される。最終ＣＲＣに関する失敗は、誤った復号が更なる処理に渡されるのを防止することができる。
【００５８】
例示的ＥＵＴＲＡ  ＤＣＩフォーマットの概要
本明細書における実施形態は、様々なＤＣＩフォーマットに従って使用される下りリンク制御情報（ＤＣＩ）メッセージに関して利用することができる。例えば、以下の表１で詳述するように、３ＧＰＰ  ＥＵＴＲＡ（進化型汎用地上波無線アクセス）は、一連のＤＣＩフォーマットを以下のように指定する。
【００５９】
フォーマット０は、物理上りリンク共有チャネル（ＰＵＳＣＨ）上で上りリンク（ＵＬ）リソースをスケジュール設定する。
【００６０】
フォーマット１、１Ａ、１Ｂ、１Ｃ、１Ｄ、２、２Ａは、物理下りリンク共有チャネル（ＰＤＳＣＨ）上で下りリンク（ＤＬ）リソースをスケジュール設定する。
【００６１】
フォーマット３及び３Ａは、ＰＵＳＣＨ及び物理上りリンク制御チャネル（ＰＵＣＣＨ）のための送信電力制御（ＴＰＣ）命令信号を送る。
【００６２】
【表１】
2020530973.tif 000003
【００６３】
ＤＣＩフォーマット０、１Ａ、３及び３Ａは全て、所与のシステム帯域幅に関して同じビット長を有することに留意されたい。このことは、受信器が、このグループのＤＣＩフォーマットのいずれかを、唯一のブラインド復号試行により検査することを可能にし得る（このブラインド復号は、予期されるビット長に基づく）。正常な復号の場合、ＤＣＩのＣＲＣ及び／又はＤＣＩペイロード内部ビット・フラグにスクランブルをかけるのに使用される無線ネットワーク一時識別子（ＲＮＴＩ）等の更なる情報を使用し、どのＤＣＩフォーマットが存在するかを正確に決定することができる。
【００６４】
表１は、現行の３ＧＰＰ  ＥＵＴＲＡ実装形態で使用されるＤＣＩフォーマットの特定のセットを示すが、（例えば、５Ｇ  ＮＲ又は他の無線アクセス技術における）他のＤＣＩフォーマットも可能である。
【００６５】
図５−情報の変調及び符号化
図５は、いくつかの実施形態による、送信器によってメッセージを変調、符号化する際のマルチモード・ブロック弁別を実施する方法のためのフローチャート図を示す。いくつかの実施形態では、個別のスクランブル・マスクは、符号化メッセージ内の複数の異なるブロックのそれぞれに適用することができる。個別のスクランブル・マスクのそれぞれは、受信器によって、送信器又は受信器いずれかの識別情報を検証するように働くことができる。例えば、以下でより詳細に説明するように、送信器及び受信器の両方は、送信器及び／又は受信器の識別情報に関する知識により事前構成することができ、受信器が、スクランブルをかけたメッセージのそれぞれのブロックを選択的に外すことができるようにする。いくつかの実施形態では、送信器は、基地局であり、受信器は、ユーザ機器デバイス（ＵＥ）とすることができる。代替的に、送信器及び受信器の両方がＵＥであっても、送信器がＵＥであって受信器が基地局であってもよい。
【００６６】
いくつかの実施形態では、送信器は、Ｐｏｌａｒ符号化方式を用い、特定の受信器に向けたメッセージを符号化することができる。いくつかの実施形態では、符号化メッセージは、下りリンク制御情報（ＤＣＩ）メッセージとすることができるが、本明細書で説明する実施形態に従って、他の種類の制御メッセージ、及びあらゆる種類の送信されるメッセージ全般を使用することができる。本明細書の実施形態は、ＤＣＩメッセージに関して説明することができるが、記載する実施形態は、他の種類の送信制御メッセージ及び他の種類のメッセージ（例えば、上りリンク制御メッセージ、ペイロード・メッセージ等）に一般化し得ることを当業者は了解することができる。
【００６７】
Ｐｏｌａｒ符号とは、以下でより詳細に説明するように、複数の通信チャネルを、より信頼できるチャネルとあまり信頼できないチャネルとに分割（又は分極）するものである。より信頼できるチャネルは、通信ペイロード情報の搬送に使用されることが多く、これらの通信ビットを「情報ビット」と呼ぶことが多い。いくつかの実施形態では、送信器は、情報ビットの末尾に巡回冗長検査（ＣＲＣ）ビット系列を付加することができる。あまり信頼できないチャネルは、典型的には、送信器及び受信器の両方に既知である参照ビットを含み、一般に、「凍結ビット」と呼ばれる。凍結ビットは、復号工程を促進するため、受信器によって利用することができる。
【００６８】
本明細書の実施形態は、Ｐｏｌａｒ符号に関して説明するが、説明する方法は、様々な他の符号化方式にも適用し得ることは理解できよう。例えば、本明細書の実施形態は、他の種類の前方エラー訂正（ＦＥＣ）符号、より一般的には、あらゆる種類の符号化メッセージに適用することができる。
【００６９】
図５で説明する方法では、送信器は、ビットの複数のサブセットから符号化メッセージを生成することができる。様々な実施形態では、ビットのサブセットは、連続していても、不連続であっても、部分的に重複していてもよい。いくつかの実施形態では、送信器は、Ｐｏｌａｒ符号を使用して符号化メッセージを生成することができ、符号化メッセージの生成に使用されるビットの複数のサブセットは、凍結ビット及び情報ビットを含むことができる。いくつかの実施形態では、情報ビットは、ペイロード情報ビット及び／又は巡回冗長検査（ＣＲＣ）ビットを含むことができる。
【００７０】
５０２において、擬似ランダム系列（ＰＲＳ）は、送信器及び受信器の両方に既知である識別子から又はこの識別子に基づき得ることができる。いくつかの実施形態では、識別子は、送信器（例えば、ＣＥＬＬ＿ＩＤ又は基地局ＩＤ）又は受信器（例えば、ＵＥ＿ＩＤ）を識別することができる。以下で更に詳細に説明するように、１つ又は複数の識別子のそれぞれを使用し、それぞれの擬似ランダム系列を生成することができ、それぞれの擬似ランダム系列は、擬似ランダム系列をスクランブル・マスクとして適用する符号化ビットのそれぞれのサブセットと同じ長さであるように生成される。
【００７１】
いくつかの実施形態では、以下でより詳細に説明するように、第１の擬似ランダム系列は、ＵＥグループ識別子に基づき生成し、第２の擬似ランダム系列は、ＵＥ固有識別子に基づき生成することができる。例えば、ＵＥグループ識別子は、基地局がサービスする１つ又は複数のＵＥを含むＵＥグループに包括的な識別子とすることができ、ＵＥ固有識別子は、特定のＵＥに固有のものとすることができる。これらの実施形態では、ＵＥ固有識別子に基づき変調されるメッセージの一部は、ＵＥ固有識別子に対応する固有ＵＥによって復号可能とすることができる。
【００７２】
いくつかの実施形態では、ＵＥグループ識別子は、複数の凍結ビットを復調するため、基地局と通信するＵＥが使用可能である同報無線ネットワーク一時識別子（ＲＮＴＩ）である。他の実施形態では、ＵＥグループ識別子は、複数の凍結ビットを復調するため、基地局と通信する少なくとも１つのＵＥグループが使用可能であるグループＲＮＴＩである。
【００７３】
いくつかの実施形態では、グループ識別子は、多重識別子であり、グループ識別子を使用して変調してあるビットのサブセットの復調に使用し得る単一の復調アルゴリズムを更に使用し、１つ又は複数の更なる識別子によって変調してあるビットの１つ又は複数の更なるサブセットを復調することができる。言い換えれば、グループ識別子は、「多対１」識別子とすることができ、グループ識別子は、それぞれ変調ビットの生成に使用し得る１つ又は複数の更なる関連識別子のファミリー内にあり、これらの変調ビットは、単一の復調アルゴリズムによって復調することができる。
【００７４】
５０４において、送信器は、個別のスクランブル「マスク」を適用し、ビットの複数のサブセットの１つ又は複数を変調することができる。スクランブル・マスクの適用は、ビットの各サブセットを、それぞれのビットのＰＲＳにより変調することを伴う。
【００７５】
例えば、意図する受信器に対応するＵＥ＿ＩＤを使用し、Ｐｏｌａｒ符号内の凍結ビット系列と同じ長さである第１のＰＲＳを生成することができる。第１のＰＲＳは、Ｐｏｌａｒ符号の凍結ビットの変調に使用することができる。他の実施形態では、第１のＰＲＳは、凍結ビットのサブセットと同じ長さとすることができ、凍結ビットのサブセットのみを変調するのに使用することができる。代替又は追加として、送信器のＣＥＬＬ＿ＩＤを使用し、第２のＰＲＳを生成することができ、第２のＰＲＳは、Ｐｏｌａｒ符号の情報ビット系列と同じ長さであるか、又は情報ビットのサブセットと同じ長さを有する。第２のＰＲＳは、Ｐｏｌａｒ符号の情報ビットの変調に使用することができる。代替又は追加として、意図する受信器に対応するＵＥ＿ＩＤを使用し、情報ビットの最終系列として付加されるＣＲＣビットと同じ長さである第３のＰＲＳを生成することができる。第３のＰＲＳは、ＣＲＣビットの変調に使用することができる。
【００７６】
第１の識別子（又は第１の識別子に基づき生成したＰＲＳ）に基づき、凍結ビットのサブセットのみを変調するケースでは、変調される凍結ビットのサブセットは、これらの凍結ビットが、制御情報内で、所定の信頼性閾値レベルを有する情報ビットの後に生じるように選択することができる。例えば、Ｐｏｌａｒ符号内では、より後のビットであるほど、より信頼でき、変調される凍結ビットのサブセットは、ビットのサブセットが所定の信頼性閾値レベルを有するように十分に遅く生じるように選択することができる。変調のための凍結ビットのサブセットを制御情報内で後に生じるように選択すると、更なる待ち時間も復号手順に導入される。いくつかの実施形態では、凍結ビットのサブセットは、ＵＥによる符号化変調制御情報の復号に関連する信頼性と待ち時間との平衡を保つように選択することができる。
【００７７】
いくつかの実施形態では、ＵＥグループ識別子に基づき生成した第１の擬似ランダム系列を使用し、凍結ビットの少なくとも１つのサブセット（即ち、凍結ビットの全て又は一部のいずれか）を変調することができ、ＵＥ固有識別子に基づき生成した第２の擬似ランダム系列を使用し、情報ビットの少なくとも１つのサブセット（即ち、情報ビットの全て又は一部のいずれか）を変調することができる。いくつかの実施形態では、第２の擬似ランダム系列に基づき変調される情報ビットの少なくとも１つのサブセットは、ＣＲＣビットを含むことができ、第２の擬似ランダム系列による情報ビットの少なくとも１つのサブセットを変調して複数の変調情報ビットを生成することは、制御情報に対するＣＲＣマスクの実施を含むことができる。
【００７８】
いくつかの実施形態では、ＣＲＣマスクの実施は、ローリング・セキュリティ・コードの実施を含むことができ、ローリング・セキュリティ・コードは、ＵＥ固有識別子に基づき初期化され、第２の擬似ランダム系列は、ローリング・セキュリティ・コードに基づき周期的に更新される。いくつかの実施形態では、ローリング・セキュリティ・コードに加えて又はその代替として、更なる暗号化を使用し、ＣＲＣマスクの安全性を増大させることができる。
【００７９】
５０６において、送信器は、Ｐｏｌａｒ符号を使用して、Ｐｏｌａｒ符号化メッセージを得るため、変調ビットのサブセットの少なくともそれぞれを符号化することができる。例えば、いくつかの実施形態では、送信器は、符号化変調制御情報を得るため、少なくとも変調凍結ビット及び変調情報ビットを符号化することができ、符号化変調制御情報は、ＵＥ固有制御情報を含む。
【００８０】
いくつかの実施形態では、符号化変調制御情報を得るための、少なくとも複数の変調凍結ビット及び複数の変調情報ビットの前記符号化は、Ｐｏｌａｒ符号を使用して、符号化変調制御情報を得るため、凍結ビットの未変調サブセット及び情報ビットの未変調サブセットの少なくとも１つ又は複数を符号化することを更に含むことができる。他の実施形態では、凍結ビット及び／又は情報ビットの全セットを変調することができ、未変調凍結ビット及び／又は情報ビットを符号化しないようにする。いずれの場合も、凍結ビット及び情報ビットの全セットは、概して、Ｐｏｌａｒ符号化メッセージを生成するために符号化される。
【００８１】
５０８において、送信器は、受信器に符号化メッセージをワイヤレスに送信することができる。送信は、本開示で様々に説明するように、様々なワイヤレス通信技術のいずれかを使用して行うことができる。
【００８２】
図６−符号化メッセージの復調及び復号
図６は、いくつかの実施形態による、受信器によって符号化メッセージ（例えば、遠隔送信器から受信する符号化データ、Ｐｏｌａｒ符号化データ）を復号、変調する方法を示すフローチャート図である。受信器は、（例えば、図４に関して上記で説明した）無線器、非一時的コンピュータ可読メモリ媒体及びプロセッサを備えるユーザ機器デバイス（ＵＥ）であっても、基地局であっても、別の種類の受信器であってもよい。
【００８３】
６０２において、受信器は、送信器から符号化メッセージをワイヤレスに受信することができる。符号化メッセージは、１つ又は複数のビット系列（例えば、第１のビット系列、並びに可能性としては第２のビット系列及び第３のビット系列）の符号化を含む符号化データを含むことができる。受信器は、符号化メッセージのビットのそれぞれのサブセットを変調するために送信器が使用する識別子のそれぞれに対する知識を有することができる。符号化メッセージは、Ｐｏｌａｒ符号化メッセージとすることができ、１つ又は複数のビット系列は、凍結ビット系列、情報ビット系列、及び／又は巡回冗長検査（ＣＲＣ）ビット系列を含むことができる。符号化メッセージは、（例えば、以下で詳細に説明するように）下りリンク制御情報（ＤＣＩ）ブラインド検出手順の一部として受信し、復号することができる。
【００８４】
受信器は、ステップ６０４〜６１４に関して以下で更に詳細に説明するように、符号化データに対する復号手順の実施に進むことができる。復号手順は、逐次除去リスト復号手順、又は様々な他の復号手順のいずれかとすることができる。
【００８５】
６０４において、受信器は、符号化メッセージの復号を開始し、第１のビット系列のサブセットを生成することができる。第１のビット系列は、Ｐｏｌａｒ符号の凍結ビットとすることができ、例えば、復号手順が、凍結ビットのサブセットの復号によって開始されるようにする。
【００８６】
（例えば、ステップ６０６〜６１０に関し以下でより詳細に説明するように）復号したビットのサブセットを使用し、符号化メッセージがその受信器に向けたものであったかどうかを検証することができる。いくつかの実施形態では、この後続のＩＤ検証で使用するビットの特定のサブセットは、復号手順に関連する信頼性と待ち時間との平衡を保つように選択することができる。例えば、符号化メッセージがＰｏｌａｒ符号化メッセージであり、第１のビット系列がＰｏｌａｒ符号の凍結ビットを含む実施形態では、復号したメッセージ内でより後に生じる凍結ビットは、より早期の凍結ビットよりもより高い信頼性を有することができるが、これらより後の凍結ビットは、復号工程のより後まで復号されない。ＩＤ検証に使用する凍結ビットの特定のサブセットは、復号メッセージのより後に生じる凍結ビットに関連する、望ましい信頼性の増大と、望ましくない待ち時間の増大との平衡を保つように選択することができる。
【００８７】
６０６において、受信器は、第１の識別子に基づき生成した第１の擬似ランダム系列（ＰＲＳ）により、第１のビット系列の復号したサブセットを復調することができる。例えば、受信器は、ＵＥのＩＤから生成した第１のＰＲＳを使用し得るＵＥであり、Ｐｏｌａｒ符号化メッセージの凍結ビットの復号したサブセットを復調することができる。受信器は、第１のＰＲＳを生成することができ、この第１のＰＲＳは、送信器が既に生成したものと同じＰＲＳであってもよい。これらの実施形態では、送信器は、同じＰＲＳを使用して凍結ビットに前もってスクランブルをかけることができ、受信器が、ＰＲＳに基づき凍結ビットの復号したサブセットを復調することによって、スクランブル・マスクのスクランブルを解除することができるようにする。ＰＲＳは、凍結ビット・フィールド全体と同じ長さとすることができるが、復調は、凍結ビットの復号したサブセットに対応するＰＲＳのサブセットを使用して実施することができる。
【００８８】
いくつかの実施形態では、第１の識別子は、基地局がサービスする１つ又は複数のＵＥの包括的識別子であるＵＥグループ識別子とすることができる。
【００８９】
６０８において、受信器は、復号してあるビットのサブセットとそれぞれの参照ビット系列との間の相互相関計算を実施することができる。例えば、送信器及び受信器は、どの値が復調した凍結ビットを有するはずであるかを知るように事前構成することができ（例えば、送信器及び受信器は、凍結ビットが一連のゼロ又は別の系列の値であると知ることができる）、これらの値は、受信器のメモリ上に参照ビット系列として保存することができる。これらの実施形態では、復号した凍結ビットとそれぞれの参照ビット系列との間の強力な相互相関により、受信器に、凍結ビットの復調が正確なＵＥ＿ＩＤにより実施されたことを示すことができる。いくつかの実施形態では、相互相関計算は、復号した凍結ビットのサブセット及び参照ビットの対応するサブセットに関連付けたパス・メトリックに対する逸脱の計算を伴うことができる。
【００９０】
いくつかの実施形態では、相互相関は、ＰＲＳの使用による復調の後に実施することができるが、他の実施形態では、参照ビット系列は、第１の識別子に基づくことができ、復調ステップ６０６を省略することができる。言い換えれば、第１の識別子に基づき（又は第１の識別子から生成したＰＲＳに基づき）復号したビットのサブセットを復調する代わりに、相互相関は、第１の識別子に基づき生成した参照ビットにより実施することができ、復号が、相互相関計算を通じて暗示的に達成されるようにする。ＰＲＳは、凍結ビット・フィールド全体と同じ長さとすることができるが、相互相関は、凍結ビットの復号したサブセットに対応するＰＲＳのサブセットを使用して実施することができる。
【００９１】
６１０において、受信器は、相互相関計算結果を相関閾値に対して比較することができる。相関閾値は、所定の相関度とすることができ、この相関度は、相互相関計算で使用したビットの数に応じて変更しても、変更しなくてもよい。
【００９２】
６１２において、相互相関計算結果が所定の相関閾値を下回る場合、受信器は、（例えば、メッセージが、異なるＵＥ＿ＩＤを有する異なる受信器、又は異なるグループＩＤを有する異なるＵＥグループに向けたものであったので）マスク解除手順が不成功であったことを決定することができ、受信器は、復号手順を中止することができる。いくつかの実施形態では、以下で更に詳細に説明するように、受信器は、より多くの凍結ビットを復号するため、相互相関の移動平均計算を維持することができ、受信器は、相互相関計算結果が所定の相関閾値を下回るのでない限り、復号手順を継続することができる。いくつかの実施形態では、復号手順を中止した後、受信器は、第２の符号化メッセージを受信することができ（例えば、受信器は、第２のＰｏｌａｒ符号化メッセージを基地局からワイヤレスに受信することができ）、受信器は、第２のＰｏｌａｒ符号化メッセージに対し復号手順を実施する（例えば、ステップ６０４〜６１０を繰り返す）ことができる。
【００９３】
６１４において、相互相関計算結果が所定の相関閾値を上回る場合、受信器は、復号手順を継続することができる。例えば、受信器は、第１のビット系列（例えば凍結ビット）の復号を完了させる及び／又は第２のビット系列（例えば情報ビット）の復号を継続することができる。
【００９４】
第２のビット系列を復号した後、受信器は、第２の識別子から生成した第２の擬似ランダム系列で第２のビット系列を復調することができる。例えば、第２のビット系列がＰｏｌａｒ符号の情報ビットを含む場合、情報ビットに、この送信器に一意の識別子（例えば基地局ＩＤ）から生成した第２のＰＲＳを使用してスクランブルをかけることができる。これらの実施形態では、受信器は、同じ第２のＰＲＳを使用して、復号した情報ビットを復調する（例えばスクランブルを解除する）ことができる。次に、受信器は、復号メッセージとして、復調した第２のビット系列をメモリ媒体内に保存することができる。
【００９５】
第１の識別子がＵＥグループ識別子であるいくつかの実施形態では、第２の識別子は、ＵＥ固有識別子とすることができる。言い換えれば、第１の識別子は、１つ又は複数のＵＥのグループによって包括的に復号可能である一方で、第２の識別子は、特定のＵＥに固有のものとすることができる。
【００９６】
受信器が第２のビット系列（例えば情報ビット）の復号、復調を終了すると、受信器は、巡回冗長検査（ＣＲＣ）を実施し、復号工程の間にエラーが発生したかどうかを決定することができる。いくつかの実施形態では、巡回冗長検査は、情報ビットの末尾に付加したＣＲＣビットを使用して実施することができる。ＣＲＣビットには、意図する受信器に一意の識別子（例えば、受信器のＵＥ＿ＩＤ）から得たＰＲＳを使用してスクランブルをかけることができ、受信器は、この受信器識別子に基づき生成した第３のＰＲＳを使用して、ＣＲＣビットのスクランブルを解除することができる。代替的に、ＣＲＣビットには、意図する受信器に一意の識別子（例えば、受信器のＵＥ＿ＩＤ）により直接的にスクランブルをかけることができ、受信器は、この受信器識別子を使用して、ＣＲＣビットのスクランブルを解除することができる。これらの実施形態では、複数の識別情報検証層を利用し、セル間干渉を軽減し、受信器が意図するメッセージを受信することを保証することができる。例えば、受信器によってそれぞれのＰＲＳを生成するために使用されたＵＥ＿ＩＤ又はＣＥＬＬ＿ＩＤのいずれかが、送信器によってメッセージを変調するために使用されたＵＥ＿ＩＤ又はＣＥＬＬ＿ＩＤとは異なる場合、巡回冗長検査によりエラーをもたらすことができ、メッセージを放棄することができる。ＣＲＣが、エラーが発生したことを示す場合、受信器は、メッセージが、受信器が使用した送信器識別子とは異なる識別子を有する送信器から受信されていることを決定し得る。この場合、受信器は、メッセージを放棄し、別のチャネル又はネットワーク・リソース（異なる制御要素）を監視し、後続のメッセージに対しブラインド復号を実施することができる。
【００９７】
この工程を更に詳細に説明すると、検査ビットが、ＵＥに割り当てたブロックと一致するブロックを受信した後、復号器内部のメトリックは、対応する凍結ビットの代わりに検査ビット値を使用する際、一貫して増える。そうではなく、検査ビットが値に一致しない場合、復号器は、対応する検査ビットの代わりに凍結ビットを使用することを決定し、このメトリックは予期したように成長しない。この観察に基づき、この復号インスタンスは、意図するＤＣＩ符号化と一致しないことが推定されるため、この復号インスタンスを終了させることができる。
【００９８】
Ｐｏｌａｒ符号
本項は、様々な実施形態によるＰｏｌａｒ符号の機能及び構造を更に詳細に説明する。無記憶２値対称チャネル容量を達成する符号を構成する方法は、当技術分野で公知である。得られたＰｏｌａｒ符号は、再帰的工程から得られるチャネル分極（図７を参照）として公知である現象を活用し、このチャネル分極により、チャネル容量、即ち、最大相互情報量が１（完全に利用可能）に向かう傾向があるか又は０（利用不可能）に向かう傾向がある。符号長Ｎ＝２nが増大するにつれて、それぞれ１及び０．５である対応するビット確率が限界に近づき、ｎは正の整数値である。データは、最も信頼できるチャネル上にビットに関する情報を置くことによって転送することができる（こうしたビットを情報ビットと呼ぶことができる）一方で、最も信頼のできないチャネル上に置いたビットは、固定値、例えば、０、又は別の既知の値、又は値セットに設定することができる。これらのビットを凍結ビットと呼ぶことができる。凍結ビット、及び符号行列への凍結ビットのマッピングは、送信器及び受信器の両方によって既知とすることができる。したがって、凍結ビットは、復号アルゴリズムによって参照として使用し、通信チャネル内の雑音からエラーが生じたか又はそれ以外であるかを決定することができる。例えば、凍結ビットの既知の値は、復号アルゴリズムを通じて決定した値と比較し、エラーが生じたかどうかを決定することができる。
【００９９】
逐次除去アルゴリズム
逐次除去（ＳＣ）復号器は、Ｐｏｌａｒ符号化方法の実行可能性を実証するのに使用されている。復号器は、複雑さの低い復号を提供する一方で、対抗するターボ符号又は低密度パリティ検査（ＬＤＰＣ）符号と競合するため、１００万（即ち２20）ビットに達する長いブロック・サイズを必要とする。ＳＣ復号器の逐次性は、復号器のスループットに著しい制限を更に課す。
【０１００】
逐次除去リストのアルゴリズム
逐次除去リスト（ＳＣＬ）復号と呼ばれる、改善されたＰｏｌａｒ符号復号方法が確立されている。ＳＣＬ復号は、各非凍結ビットに対し、各復号器段階で並列に２つの可能性：
【０１０１】
【数１】
2020530973.tif 000004
【０１０２】
を検査する。復号器は、各段で可能性が最も高い経路を保持しながら、多数の経路を並列に追跡することができる。符号器は、巡回冗長検査（ＣＲＣ）を付加することもでき、巡回冗長検査（ＣＲＣ）は、最終的に、利用可能なＬ個の経路から適切なビット判断を決定する際に使用される。上記引用文献２のＢａｌａｔｓｏｕｋａｓ−Ｓｔｉｍｍｉｎｇ等を参照。
【０１０３】
Ｐｏｌａｒ符号
Ｐｏｌａｒ符号は、生成行列Ｇによって記述される一種の線形ブロック符号を形成する。ブロック長さＮのＰｏｌａｒ符号は、
【０１０４】
【数２】
2020530973.tif 000005
【０１０５】
に従って生成することができ、式中、ＦNは、他の可能性の中でも、
【０１０６】
【数３】
2020530973.tif 000006
【０１０７】
のクロネッカー積を示す。
【０１０８】
Ｐｏｌａｒ符号は、長さＮのブロックにおけるｋ個の情報ビット及び（Ｎ−ｋ）個の凍結ビットの位置によって定義される。符号レート、
【０１０９】
【数４】
2020530973.tif 000007
【０１１０】
は、非凍結ビット対ブロック長さの比率として表される。符号レートは、ブロックごとに非凍結ビットの数を変動させることによって線形に調節することができる。典型的には、ブロック長さＮは、Ｎ＝２nであるように２の累乗であるように選択し、ｎは自然数である。
【０１１１】
図８−例示的Ｐｏｌａｒ符号器
図８は、ブロック長さＮ＝２3に対するサンプルＰｏｌａｒ符号構成を示す。符号器は、入力ｕiで開始し、入力ｕiは、出力ｘiに符号化される。情報ビットは太字で示す。残りの入力は、割り当てられた凍結ビット値０とすることができる。各段ｓにおいて、符号器は、右に示す符号化ツリーに従ってビット対を組み合わせ、
【０１１２】
【数５】
2020530973.tif 000008
【０１１３】
は、排他的ＯＲ（ＸＯＲ）演算を示す。
【０１１４】
ＳＣ復号器
ＳＣＬ復号器は、ＳＣ復号器の集合として見ることができ、それぞれ、累積対数尤度比（ＬＬＲ）統計列上で、独立したｍｉｎ−ｓｕｍ計算を利用する。いくつかの実施形態では、ＳＣ復号器は、以下のように進行することができる。
【０１１５】
各ビット位置ｉにおいて、ＳＣ復号器は、以下：
【０１１６】
【数６】
2020530973.tif 000009
【０１１７】
のようにビットｕiを推定することを目標とし、式中、
【０１１８】
【数７】
2020530973.tif 000010
【０１１９】
は、ビット位置ｉにおいて、推定した情報ベクトル、
【０１２０】
【数８】
2020530973.tif 000011
【０１２１】
、所与の受信記号ｙ、及び前もって復号したビット
【０１２２】
【数９】
2020530973.tif 000012
【０１２３】
に対する対数尤度比（ＬＬＲ）を計算する。
【０１２４】
図９は、ｎ＝３である例示的復号器を示し、ブロック長さがＮ＝２3であるようにする。
【０１２５】
復号器アルゴリズムは、以下：
【０１２６】
【数１０】
2020530973.tif 000013
【０１２７】
に従って、図９に示す多段図に対し再帰的に適用し、式中、λl，iは、列ｉのＬＬＲ及びＳＣ復号器グラフの段ｌを示す。関連するカーネル計算は、ｍｉｎ−ｓｕｍアルゴリズム：
【０１２８】
【数１１】
2020530973.tif 000014
【０１２９】
を構成する。
【０１３０】
ＳＣＬ復号器
リスト復号器は、基準ＳＣ復号器から離れ、パス・メトリックの更新を導入することができる。各ビット復号段の完了時、パス・メトリックは、両方の可能なビット値：
【０１３１】
【数１２】
2020530973.tif 000015
【０１３２】
の可能性を取ることによって更新することができる。いくつかの実施形態では、分類演算を実施し、正確に復号した列の尤度によってリスト内の経路をランク付けすることができる。この場合、Ｌ個の可能性が最も高い経路のみを保持することにより、可能な経路の「ツリー」を剪定することができる。ＬＬＲ計算、経路拡張及び剪定のサイクルは、送信ブロックにおいて各ビットに対して繰り返すことができ、この送信ブロックの点で、可能性が最も高い経路を選択し、ペイロード・データ・ビットに対する最良の推定を明らかにする。
【０１３３】
上記引用文献２のＳＣＬ復号器は、分類演算結果を使用し、処理オーバーヘッドを追加することによって、複数のメモリ・コピー（ｍｅｍｃｐｙ）を誘導する。というのは、ＬＬＲ更新は、ｍｅｍｃｐｙ演算が完了するまで再開することができないためである。
【０１３４】
ＤＣＩブラインド検出
いくつかの実施形態では、ユーザ識別は、割り当てたＣ−ＲＮＴＩ（セル無線ネットワーク一時識別子）に基づく。本明細書の実施形態は、ブロック復号過程の早期に、別のユーザに向けたブロックに対し、現在のユーザに向けたブロックを弁別する方法を説明する。以下で更に詳細に説明するように、擬似ランダム２値系列（ＰＲＢＳ）は、Ｃ−ＲＮＴＩに従って種を置くことができる。他の実施形態では、Ｃ−ＲＮＴＩは、グループＲＮＴＩ、共有ＲＮＴＩ、及び／又は特定のＵＥに明示的に割り当てなくてもよいＲＮＴＩを含むことができる。そのようなＲＮＴＩは、限定はしないが、一時的Ｃ−ＲＮＴＩ、ＳＩ−ＲＮＴＩ（システム情報）、Ｐ−ＲＮＴＩ（ページング）、ＲＡ−ＲＮＴＩ（ランダム・アクセス）、ＴＰＣ−ＰＵＣＣＨ−ＲＮＴＩ（送信電力制御−物理上りリンク制御チャネル）、及びＴＰＣ−ＰＵＳＣＨ−ＲＮＴＩ（送信電力制御−物理上りリンク共有チャネル）を含むことができる。本明細書において、用語Ｃ−ＲＮＴＩ、ＲＮＴＩ及びＵＥ＿ＩＤは、総称して、単一ＵＥ又は単一受信器、又はＵＥ若しくは受信器のグループに関連する識別情報を表すために使用され、そのようなＵＥは、その識別情報に直接的又は間接的に関連付けられる。しかし、本明細書で説明する実施形態に従って、他の種類の識別子も使用し得ることを理解されたい。
【０１３５】
いくつかの実施形態は、拡散マッピングを用いることができ、凍結ビットの大部分又は全てが、ＵＥ識別子又は別の識別子に従って種を置いたＰＲＢＳにより変調される。拡散マッピングの場合、ＰＲＢＳは、ＵＥ識別子よりも長くても、又は更にかなり長くてもよい。拡散マッピングは、識別子に長さが等しいＰＲＢＳを使用して選択凍結ビット位置を変調する直接マッピングとは対照的であると説明することができ、凍結ビット位置は、様々な手段（例えば、最も信頼できる凍結ビット位置、クロネッカー行列において最も高いハミング重み（最大数１）に対応するビット位置等）によって決定することができる。いくつかの実施形態では、拡散マッピングは、直接マッピングで使用されるビット位置と重複させることができ、その場合、受信器は、早期終了に関する判定を行う際、直接マッピングに使用するビット位置に対応する選択ビット位置の監視することを選択することができる。他の受信器の実装形態は、代わりに、早期終了の判定を行う際、完全拡散マッピングを利用することを選択することができ、ここで、拡散マッピングとは、実質的にＵＥ識別子よりも長いＰＲＢＳを使用する、凍結ビットの挿入を指し、直接マッピングは、ＵＥ識別子に長さが等しい系列を使用する（又は可能性としては、ＵＥ識別子を直接使用する）、凍結ビットの挿入に対応する。
【０１３６】
いくつかの実施形態では、セル固有スクランブルを使用し、隣接セルの干渉の影響を軽減する。
【０１３７】
いくつかの実施形態では、本明細書で説明する方法は、付随する共有データ・チャネルの信号対雑音比（ＳＮＲ）を下回る信号対雑音比（ＳＮＲ）で機能することができる。更に、いくつかの実施形態は、以前の実装形態と比較してフォールス・アラーム率（ＦＡＲ）を低減することができる。
【０１３８】
より広範な適用範囲
本明細書で説明する実施形態は、Ｐｏｌａｒ符号へのＵＥ＿ＩＤの挿入を用いて、ＤＣＩブラインド検出時の早期終了を促進するものであるが、他の実施形態では、ＵＥ＿ＩＤ挿入は、Ｐｏｌａｒ符号の他の使用のために用いることができる。例えば、ＵＥ＿ＩＤ挿入は、ｍＭＴＣ（大量端末接続）用途若しくはＵＲＬＬＣ（超高信頼低遅延通信）用途のためのＰｏｌａｒ符号及び／又はチャネル符号化で用いることができる。
【０１３９】
例えば、いくつかの実施形態は、先進運転支援システム（ＡＤＡＳ）のために本明細書で説明する技法を用いることができる。これらの実施形態では、車両若しくは車両グループの範囲を定めるＩＤ又はＩＤ表現を凍結ビット・フィールドに埋め込み、車両間通信又は車両対インフラストラクチャ通信のブロック弁別を可能にすることができる。
【０１４０】
いくつかの実施形態は、遠隔システム監視のために本明細書で説明する技法を用いることができる。例えば、ｍＭＴＣは、ＩＤ挿入からの恩恵を得ることができる。凍結ビットへのＩＤ挿入は、アドレス情報を個別に送信する必要性をなくし、これにより、通信間接費を低減することができる。
【０１４１】
いくつかの実施形態は、識別子（例えば、ＵＥ固有識別子、ＵＥグループ識別子又は基地局識別子等）を、Ｐｏｌａｒ符号の凍結ビット及び／又は情報ビットに埋め込むが、他の実施形態は、凍結ビット及び／又は情報ビットに、他の種類のビット系列及び／若しくはメッセージを埋め込むことができる。例えば、以下でより詳細に説明するように、ハイブリッド自動再送要求（ＨＡＲＱ）確認応答を、Ｐｏｌａｒ符号の凍結ビット及び／又は情報ビットに埋め込むことができる。代替的に、本明細書に記載の実施形態に従って、送信器及び受信器の両方に既知の他の種類の参照系列を、Ｐｏｌａｒ符号の凍結ビット及び／又は情報ビットに埋め込むことができる。
【０１４２】
いくつかの実施形態は、同報チャネルのために本明細書で説明する技法を用いることができる。例えば、ＮＲ内の物理ブロードキャスト・チャネル（ＰＢＣＨ）は、システム・フレーム番号（ＳＦＮ）及び／又はスロット指数（スロット指数は現在の無線フレーム内での現在位置の表示である）を表すＣＥＬＬ＿ＩＤ及び／又はビットのサブセットを凍結ビット内で携行することから恩恵を受け、セル及びシステム・タイミング情報の区別を助けることができる。ＣＥＬＬ＿ＩＤは、凍結ビットの一部若しくは全てに直接挿入することができるか、又はＣＥＬＬ＿ＩＤを使用し、ＰＲＢＳに種を置き、次に、ＰＲＢＳを凍結ビットの一部若しくは全てに挿入することができる。同様に、ＳＦＮ関連情報を凍結ビットの一部若しくは全てに直接挿入し、次に、凍結ビットの一部若しくは全てに挿入するＰＲＢＳに種を置くために使用することができるか、又は相対的な巡回変化若しくは回転を決定するために使用することができ、相対的な巡回変化若しくは回転は、凍結ビットの一部若しくは全てに挿入するＰＲＢＳ成分に適用される。
【０１４３】
いくつかの実施形態は、本明細書において、安全な上りリンク制御情報（ＵＣＩ）スクランブル技法を用いることができる。例えば、ＰＲＢＳは、ローリング・セキュリティ・コードに基づき初期化することができ、ローリング・セキュリティ・コードのスケジュールは、ｇＮＢ及びＵＥ又はＵＥグループの間で依然として非公開である。これらの実施形態では、ＣＲＣスクランブルは、不一致に対するＵＥ＿ＩＤの最終検証を回避することができる。ＣＲＣスクランブルは、不正な視聴者がメッセージ成分の復号を試みることを防止できないことがある。というのは、不正な視聴者が最終ＣＲＣ検査の妥当性を無視する可能性があるためである。（例えば、ＬＴＥにおいて定義されている）いくつかの現在の実装形態では、ＵＣＩは、ＵＥ＿ＩＤスクランブルを含まない。不正なユーザは、誤った制御チャネル・データを挿入し、これにより、有効なユーザと見せかけてだますことができる。しかし、不正なユーザは、ローリング・セキュリティ・コードに気付くことができず、したがって、ＣＲＣに適切にスクランブルをかけることができない。これらの実施形態では、安全鍵に基づくＰＲＢＳ拡散スクランブルは、不正なユーザからの傍受を阻止することができる。
【０１４４】
いくつかの実施形態は、ＵＬ／ＤＬプライバシを改善する技法を用いることができる。例えば、ＵＬ又はＤＬユーザ・データ通信への安全なスクランブルの使用を拡大すると、送信器の識別情報の保証に更なる恩恵を加え、同様に、不正な傍受の攻撃を軽減する。これらの実施形態は、有利には、物理層に近接するプライバシを保証し、これにより、ｍＭＴＣ又はＵＲＬＬＣ通信に関する待ち時間を低減することができる。ＰＲＢＳ拡散手段を含む凍結ビットの挿入は、下りリンク制御情報（ＤＣＩ）で提案するものと同様に動作させることができる。いくつかの実施形態では、凍結ビットの挿入は、下りリンク制御情報（ＤＣＩ）で提案するものから、ＰＲＢＳ系列を初期化する様式で逸脱することができる。例えば、固定された種に基づき系列生成を初期化するのではなく、種は、共有される（例えば、送信器と受信器との間で独立して共有される）被動スケジュール鍵に従って、回転させることができ、被動スケジュール鍵の更新パターンは、送信器と受信器との間で依然として秘密とすることができる。ＡＤＡＳ、又は不正な妨害が有害であることを証明し得る他のミッション・クリティカル通信は、安全な拡散スクランブルから恩恵を得ることができる。
【０１４５】
いくつかの実施形態は、基地局（ｇＮＢ）への追加の確認として、本明細書で説明する上りリンク制御メッセージ上でＵＥ＿ＩＤを符号化する技法を用いることができ、リソースの所与のセット内で受信したメッセージが、リソースを割り当てたユーザから実際に発信されたものであることを確認する。例えば、上りリンク制御メッセージの凍結ビットに挿入されるＰＲＢＳの成分は、追加の安全尺度として、ＵＥ及びｇＮＢに既知のスケジュール上で回転させることができる。
【０１４６】
いくつかの実施形態は、特定のＵＥデバイスに対し複数のＲＮＴＩを用いることができる。いくつかの実施形態では、ユーザは、同じ長さの複数のＤＣＩフォーマットからのＤＣＩメッセージを予期することができ、ＤＣＩフォーマットのそれぞれは、異なる活動中のＲＮＴＩに関連付けることができる。例えば、共通探索領域（ＣＳＳ）は、ページング・メッセージのためのＰ−ＲＮＴＩ、システム情報メッセージのためのＳＩ−ＲＮＴＩ、及びグループ送信電力制御のためのＴＰＣ−ＲＮＴＩのそれぞれを用いることができる。別の例として、ＵＥ固有探索空間（ＵＳＳ）は、動的スケジューリングのためのＣ−ＲＮＴＩ、及び半永続的スケジューリング（ＳＰＳ）起動、起動停止のためのＳＰＳ−ＲＮＴＩ、並びに／又は適合ハイブリッド自動再送要求（ＨＡＲＱ）再送信のそれぞれを用いることができる。これら多重ＲＮＴＩケースでは、ＵＥは、ＲＮＴＩ固有ＣＲＣスクランブルに基づき、所与のＤＣＩ符号化に対してどのＲＮＴＩを適用可能であるかを区別することができる。これらの実施形態では、ＲＮＴＩ固有成分に基づくＵＥ＿ＩＤ凍結ビット挿入は、物事を複雑にする場合があり、可能性として、所与のＤＣＩインスタンスに対してどのＲＮＴＩを適用可能か評価するために複数の復号試行を必要とする場合がある。例えば、ＵＥは、ＤＣＩメッセージが、使用する固有ＲＮＴＩと関連する適切なＤＣＩフォーマットであったかどうかを決定する前に、固有ＲＮＴＩを使用して凍結ビット・フィールド全体を復号し、その後、ＣＲＣのスクランブルを解除する必要がある場合がある。この更なる復号は、更なる望ましくない時間及び計算リソースを必要とする場合がある。
【０１４７】
いくつかの実施形態では、これらの望ましくない更なる復号手順は、多重ＲＮＴＩ関連付けを規定することによって回避することができ、多重ＲＮＴＩ関連付けは、ｇＮＢにおいて、ＤＣＩフォーマット固有ＲＮＴＩに基づくＣＲＣスクランブルと共に、凍結ビット挿入のための多重ＲＮＴＩを割り当てるものである。例えば、所与のＵＥは、凍結ビットの復号に多重ＲＮＴＩを用いることができ、多重ＲＮＴＩは、所与のＵＥに固有であるが、可能性のあるＤＣＩフォーマットのそれぞれに対して包括的である。この場合、所与のＵＥは、特定のＤＣＩフォーマットに固有のＲＮＴＩに基づき、ＣＲＣのスクランブル解除を実施することができる。これらの実施形態では、多重ＲＮＴＩは、ＵＥが、ＤＣＩメッセージがそのＵＥに向けたものであったかどうかを決定するために使用し得る一方で、計算的により単純でより短いＣＲＣスクランブル解除手順を異なるＤＣＩフォーマット固有ＲＮＴＩで使用し、ＤＣＩメッセージのＤＣＩフォーマットを決定することができる。
【０１４８】
いくつかの実施形態では、多重ＲＮＴＩは、凍結ビット・フィールドにおいて使用するために割り当て、所与のＵＥに割り当てた２つ以上のＤＣＩフォーマット固有ＲＮＴＩとの関連付けを指定することができる。多重ＲＮＴＩは、凍結ビット・フィールドにマッピングし、現在のＵＥに関するこれら多重ＲＮＴＩとの関連付けに属さないあらゆるＲＮＴＩに対する早期終了を可能にすることができる。この後、ＤＣＩフォーマット固有ＲＮＴＩ  ＣＲＣスクランブル解除が続き、ＵＥが、どのＤＣＩフォーマットが送信されたかを決定することを可能にする。
【０１４９】
様々な実施形態では、多重ＲＮＴＩを割り当てる方法は、２つの形態のうち１つを取ることができる。
【０１５０】
一実施形態では、所与のＵＥに割り当てたＤＣＩフォーマット固有ＲＮＴＩとは別個である新たな多重ＲＮＴＩを特定することができる。
【０１５１】
別の実施形態では、多重ＲＮＴＩは、現在のＵＥに既に割り当てられているＤＣＩフォーマット固有ＲＮＴＩのセットから指定することができる。このことは、予期される多重ＲＮＴＩ使用のケースで既に表示したもの以外に、更なるＲＮＴＩ割り当てを一切負わないという点で有利であり得る。プロトコルを使用し、割り当てられたどちらのＲＮＴＩを多重ＲＮＴＩとして指定するかを決定することができる。共通探索領域（ＣＳＳ）の場合、ＴＰＣ−ＲＮＴＩは、多数のユーザにわたって更に共有されることを仮定すれば、良好な候補であり得る。ＵＥ固有探索空間（ＵＳＳ）の場合、個々のＵＥのためのＳＰＳ−ＲＮＴＩとは別個であるため、Ｃ−ＲＮＴＩが好ましい場合がある。他の割り当てられたＲＮＴＩ、及び他の複数のＤＣＩフォーマットも可能である。
【０１５２】
最終的な考慮事項は、重複するグループをどのように扱うかである。いくつかの実施形態では、２つのＵＥ（例えば、ＵＥA及びＵＥB）は、それぞれのＵＥ固有Ｃ−ＲＮＴＩに加えて、グループＲＮＴＩに割り当てることができる。対応する多重ＲＮＴＩは、例えば、｛Ｃ−ＲＮＴＩA，  Ｃ−ＲＮＴＩB及びグループのためのＧ−ＲＮＴＩA，B｝と関連付けることができる。多重ＲＮＴＩは、別個のグループＲＮＴＩとして明示的に割り当てることができるか、又はＴＰＣ−ＲＮＴＩ等の、既存の既に割り当てたグループＲＮＴＩを再利用することができる。例えば、単一の多重ＲＮＴＩを使用し、ＵＥAに向けたＵＥ固有メッセージ、ＵＥBに向けたＵＥ固有メッセージ、並びにＵＥA及びＵＥBの両方に向けたグループ・メッセージのそれぞれのための凍結ビットを符号化することができる。多重ＲＮＴＩスクランブルを取り除いた後、Ｐｏｌａｒ復号を通常通りに進めることができる。その後、受信器Ａは、Ｃ−ＲＮＴＩA及びＧ−ＲＮＴＩA，Bのそれぞれを使用してＣＲＣマスクの評価に進む。なお、受信器Ｂは、Ｃ−ＲＮＴＩB及びＧ−ＲＮＴＩA，Bのそれぞれを使用してＣＲＣマスクを評価する。このことは、一方のＵＥが、もう一方のＵＥに向けたブロック完了への復号を終了し得る可能性を認めるが、ＤＣＩインスタンスごとの単一の復号試行を与えられた早期終了の可能性は、ＵＥがそのグループ内の別のユーザに向けたブロックを時々復号する犠牲を上回る。なお、多重ＲＮＴＩグループに関連しないあらゆるＤＣＩに対する早期終了の可能性は、ＵＥA及びＵＥBによって保たれる。
【０１５３】
列挙した上記のケースそれぞれにおいて、ＰＲＢＳ（又は他の）拡散を初期化し、適切な系列長さが何であるかを決定し、符号化をマッピングすべき凍結ビットの範囲を決定するには、特別仕様の適用が望ましい場合がある。更に、凍結ビットが正確なＡＣＫ／ＮＡＣＫ決定を保証するのに必要とされる程度は、用途にわたり変更することができる。更に、ＵＬ  ＨＡＲＱ  ＡＣＫ／ＮＡＣＫは、Ｐｏｌａｒ符号化下りリンク制御チャネルの凍結ビット上に信号で伝えることができる。
【０１５４】
候補探索空間
ＬＴＥは、意図するＰＨＹ下りリンク制御チャネル（ＰＤＣＣＨ）通信の探索を問い合わせるため、ＵＥのための制御チャネル要素（ＣＣＥ）位置のセットを定義する。ＣＣＥ位置のセットは、表２に示すように、ＵＥ固有探索空間（ＵＳＳ）及び共通探索空間（ＣＳＳ）に分割される。
【０１５５】
【表２】
2020530973.tif 000016
【０１５６】
ＬＴＥの場合、各ＵＥは、送信時間間隔（ＴＴＩ）につきＵＳＳから２つのＤＣＩフォーマットを受信することができる。１つの参照ＤＣＩフォーマット、例えば、フォーマット０／１Ａは、典型的には、ＵＥのために構成した送信モードとは無関係に予想される。同じペイロード・サイズを有するように定義すると、参照ＤＣＩフォーマットは、基礎をなすフォーマット型とは無関係に、候補位置につき１回の復号試行を要求することができる。各ＵＥは、構成した送信モードに応じて、ＴＴＩごとにＤＣＩフォーマット１、１Ｂ、１Ｄ、２、２Ａ、２Ｂの１つに対し、ＵＳＳ候補位置につき１回の更なる復号試行を要求することができる。次に、ＵＥは、１６×２＝３２のブラインド復号試行を要求し、２つの異なる可能なＤＣＩフォーマットに対し、ＴＴＩごとに全てのＵＳＳ候補位置を監視することができる。
【０１５７】
同じペイロード・サイズを有するように指定したＤＣＩフォーマット０／１Ａ及び３／３Ａ（ＴＰＣ−ＰＵＣＣＨ−ＲＮＴＩ又はＴＰＣ−ＰＵＳＣＨ−ＲＮＴＩを構成する場合）は、ＣＳＳ内の候補ＰＤＣＣＨ位置につき１回のブラインド復号試行を要求することができる。ＵＥがＳＩ−ＲＮＴＩ（システム情報）、Ｐ−ＲＮＴＩ（ページング）又はＲＡ−ＲＮＴＩ（ランダム・アクセス）でスクランブルをかけたＰＤＣＣＨの受信を必要とする場合、ＤＣＩフォーマット１Ｃに対し、ＣＳＳ内の候補位置につき更なる復号試行が必要であり、利用可能なＣＳＳ候補位置にわたり６×２＝１２のブラインド復号試行をもたらす。合計、ＴＴＩにつき最大１２＋３２＝４４回のブラインド復号試行を必要とし、割り当てたＤＣＩフォーマットに対し、ＣＳＳ及びＵＳＳの両方を監視することができる。最大４４回のブラインド復号試行のそれぞれは、相当な時間及び計算リソースを必要とするため、ブラインド復号試行工程の間に早期終了を可能にすることにより、ユーザ・エクスペリエンスを著しく向上させることができる。
【０１５８】
図１０−ブロック弁別
図１０は、ＬＴＥに対し規定したＤＣＩ符号化を示す。ＬＴＥは、図１０に示すように、ＤＣＩ検出時、２つのブロック弁別方法を利用し、ＤＣＩ検出は、Ｐｏｌａｒ符号構造に重畳することができる。このブロック弁別方法は、ＬＴＥによって使用されるテイルバイティング畳み込み符号器の代わりに行うことができる。
【０１５９】
第１に、ユーザ固有ＣＲＣマスクを各ＰＤＣＣＨの末尾に適用し、ＵＥ＿ＩＤに基づくブロック分離をもたらすことができる。第２に、符号器出力時、セル固有スクランブル・マスクを適用し、ＣＥＬＬ＿ＩＤに基づく出力メッセージを変調することができ、符号器は、ｎ番目のクロネッカー累乗行列のアイコンＧｎによって図１２で表す。
【０１６０】
ＰＤＣＣＨのためのＰｏｌａｒ符号構成
基礎をなすＰｏｌａｒ符号構成を考慮し、本明細書で説明する実施形態は、下りリンク制御チャネルに適合し得るマルチモード弁別マスクを実施する。
【０１６１】
提案する系列設計は、従来のＰｏｌａｒ符号構成により開始し、長さＮ＝２nの符号は、ｋ個の情報ビット（ＣＲＣ及び／又はパリティ検査（ＰＣ）ビットを含む）、Ａ⊂［Ｎ］、及びＮ−ｋ個の凍結ビット、Ｆ＝［Ｎ］＼Ａを割り当て、これらの割り当てた値は、受信器に先験的に既知である。符号レート、Ｒ＝ｋ／Ｎは、ブロック・サイズに対するユーザ・データ従属情報ビットの数によって決定することができる。
【０１６２】
いくつかの実施形態では、以下の３つの方法の一部又は全てに従って、基礎をなすＰｏｌａｒ符号の個々のフィールドを割り当て、ブロック弁別を促進することができる。
【０１６３】
まず、上記で説明したように、エラー検出のため、１６ビットのＣＲＣを各ＰＤＣＣＨに付加することができる。１６ビットのＣＲＣの長さは、例にすぎず、限定を意図するものではない。ＣＲＣの長さは、１６ビットより少なくても、１６ビットより多くてもよい。ＣＲＣには、ＵＥ固有マスクによりスクランブルをかけ、候補ＰＤＣＣＨ位置リストに問い合わせる際、どのＰＤＣＣＨ（複数可）が所与のＵＥに向けられているかという識別を可能にする。
【０１６４】
第２に、上記で説明したように、ＵＥ＿ＩＤ、又はＵＥ＿ＩＤの関数から得たビット値を凍結ビット・フィールドに挿入し、ＵＥが、当該ＵＥに向けたＰＤＣＣＨ（複数可）ブロック復号の過程で、別のユーザに向けたＰＤＣＣＨから早期に弁別することを更に可能にする。早期終了の一形態として、ＵＥ＿ＩＤ挿入は、現在のＵＥのためのものではないブロックの復号に費やされるエネルギーの低減を意図する。
【０１６５】
第３に、上記で説明したように、情報ビットは、セル固有マスク（ＣＥＬＬ＿ＩＤマスク）によりマスクし、隣接セルの干渉の影響を軽減することができる。
【０１６６】
図１１〜図１２−ビット・マスクの割り当て
図１１は、いくつかの実施形態による、Ｐｏｌａｒ符号を（可能性としてはＮＲ内に）組み込むように適合したＤＣＩを示す。図１１は、Ｐｏｌａｒ符号化メッセージ内で凍結ビット、情報ビット及びＣＲＣビットのそれぞれに対しビット・マスクを個別に適用することを示す。図示のように、マルチモード・マスク割り当ては、個別の識別目的で、ビット・フィールドの異なるサブセットを個別に使用する。
【０１６７】
線形変換を仮定して、クロネッカー行列の適用を分散し、割り当てたビット・マスク（複数可）を符号器出力：
（ｗ＋ｕ）Ｇ＝ｗＧ＋ｕＧ  （６）
に関連付けることができる。ここで、プラス（＋）は、ＤＣＩインスタンスごとに１回計算して得られるスクランブル・マスクｗＧのビット単位のＸＯＲを表し、ｕＧは、元の符号器出力である。図１２に示すように、符号器入力で連続して適用したビット・マスクｓ0：F−1、ｒ0：D−1、ｘrnti，0：15は、符号器出力で適用したスクランブル・マスクｗＧに相当し、０0：M−1は、長さＭの全てのゼロ・ベクトルを表し、ｙＧ＝Ｙは、符号器入力のベクトル（小文字ベクトルｙ）と出力のベクトル（大文字ベクトルＹ）との間の関係を反映する。組み合わせたマスクは、同様に、復号前に受信器で外すことができる。符号器入力でマスクに割り当てた特性は、符号器出力で適用される、対応するマスク内で同等に現れる。個々の属性は、各マスクが、符号器入力での構成に参照される、意図する効果をもたらすように割り当てることができる。この場合、マスクの寄与は、効力を失うことなく、組み合わせ、符号化し、次に、符号器出力で適用することができる。
【０１６８】
図１３〜図１４逐次ビットマスクの割り当て
図１３〜図１４は、いくつかの実施形態による、後にＬＴＥによって使用されるパターン化したビットマスクの割り当てを示す。従来のＬＴＥにおいて、擬似ランダム系列の生成は、様々な目的で適合される（引用文献３を参照）。本明細書では、擬似ランダム系列を生成する例示的な方法を示し、本方法又はある同様の方法を凍結ビット成分を満たすために適用し得ることを示し、凍結ビット成分の初期化は、ＵＥ＿ＩＤの表現に基づく。ＬＴＥによって指定される擬似ランダム系列を生成する方法を適合させ、Ｃ−ＲＮＴＩによって初期化した凍結ビット成分を形成し、ＤＣＩブラインド検出による早期の識別を促進することができる。いくつかの実施形態では、第２の適用は、ＣＥＬＬ＿ＩＤに対し初期化した情報ビット・マスクを形成することができる。
【０１６９】
【数１３】
2020530973.tif 000017
【０１７０】
ここで、Ｎc＝１６００であり、ＭPNは、影響を受ける凍結ビットの数によって決定する。
【０１７１】
系列
【０１７２】
【数１４】
2020530973.tif 000018
【０１７３】
は、以下：
【０１７４】
【数１５】
2020530973.tif 000019
【０１７５】
のように生成することができる。
【０１７６】
ここで、
【０１７７】
【数１６】
2020530973.tif 000020
【０１７８】
は、以下：
【０１７９】
【数１７】
2020530973.tif 000021
【０１８０】
のように初期化することができる。
【０１８１】
凍結ビット成分は、ｆM＋n＝ｃnに従って満たし、Ｍは、使用される第１の凍結ビットの指数である（例えば、パンクチャリングを適用した後の第１の凍結ビット、又は第１の情報ビットの後の第１の凍結ビット等）。
【０１８２】
利用可能な凍結ビット数まで擬似ランダム系列の長さを拡張すること（例えば上記で説明した拡散マッピング）により、決定的で確実な早期のユーザの分離をもたらす。ＵＥ＿ＩＤにより得た擬似ランダム系列により凍結ビット成分全体をポピュレートするする場合、早期ブロック弁別の確実で効率的な手段を得ることができる。同様に、擬似ランダム系列は、ＣＥＬＬ＿ＩＤから得られ、ブロックの情報部分に対するビットマスクとして適用することができる。更に又は代替的に、ＬＴＥで行ったように、割り当てたＣ−ＲＮＴＩに基づきＣＲＣをマスクすることができる。適切なゼロ・パディングを適用し、次に、マスクを加算した後、符号器出力において、これらの組み合わせた効果を単一のスクランブル系列で適用することができる。
【０１８３】
上記で説明した実施形態は、利用可能な凍結ビットの完全フィールドに擬似ランダム系列を割り当てるが、他の実施形態では、擬似ランダム系列は、凍結ビットのサブセットに割り当て、例えば、パンクチャリング後の第１の凍結ビットにより開始するか、又は第１の情報ビットに続く第１の凍結ビットにより開始することができる。凍結ビットの割り当ては、ある数の情報ビットを消費した後、例えば、残存する作業負荷が、ある省エネルギー最小閾値を超えた後、中断することができる。これら特定の凍結ビットのサブセットは、例示的にすぎず、限定を意図しない。というのは、擬似ランダム系列を凍結ビット・フィールドの他のサブセットに割り当てることも可能であるためである。
【０１８４】
いくつかの実施形態では、擬似ランダム系列は、ＵＥ＿ＩＤ又はＣＥＬＬ＿ＩＤと同じ長さであってもよく、直接マッピングをもたらす。いくつかの実施形態では、拡散マッピングと直接マッピングとの組合せを単一の送信で利用することができる。これらの実施形態では、直接マッピングで選択した凍結ビットの位置は、拡散マッピングで選択したビット位置のサブセットとすることができる。言い換えれば、拡散マッピングで選択した凍結ビットは、直接マッピングで選択した凍結ビットのスーパーセットとすることができ、凍結ビットのスーパーセットにより、拡散マッピング手順から復号した関連するビットを、直接マッピング・アルゴリズムでの処理のために渡すことを可能にする。言い換えれば、拡散マッピングは、直接マッピングの機能に干渉せずに、拡散マッピングの凍結ビット・フィールド内で用いることができる。いくつかの実施形態は、拡散マッピングに、直接マッピングに関連する性能の利点をもたらすことができるが、更に、受信器製造業者に許容範囲をもたらし、例えば、最大ハミング距離又はビット信頼性に基づき、早期終了判定を行う際に望ましいと考えられるビット位置のみを含めることができる。
【０１８５】
図１５−ＵＥ＿ＩＤ凍結ビットの割り当てに基づく早期ブロック弁別
図１５は、ＵＥ＿ＩＤの符号化と復号との間の一致及び不一致の両方の場合の、凍結ビット復号の早期終了手順に関するデータを示す。
【０１８６】
ＵＥ＿ＩＤを凍結ビットの割り当てから得たとすると、早期ブロック弁別は、最尤（ＭＬ）系列検出と同然とすることができる。仮定される凍結ビット位置の一致は、正の蓄積をもたらす一方で、不一致は、負の蓄積をもたらす。移動平均（ＭＡ）によって見られる圧倒的な正の蓄積は、別のユーザに向けたブロックから、現在のユーザに向けたブロックを弁別する確実な手段をもたらす。この傾向は、図１５に示すように、低ＳＮＲでさえ持続する。
【０１８７】
ブロック弁別の目的で、最良経路、即ち、最小パス・メトリックを呈する経路に属するものとして、各ビット位置で見られるセットであるように最良ＬＬＲを選択する。ブロック復号過程の間に知覚される最良経路が、残存する最良経路として残るという主張はしない。しかし、知覚される最良経路の指標は、早期弁別を促進するメトリックを得るのに有用であることを証明することができる。
【０１８８】
図１５に示すように、最良ＬＬＲの移動平均は、凍結ビット割り当てに一致する際、増大する傾向、及び予測したビット割り当てに不一致がある場合、下向きの傾向を呈する。再度図１５を参照すると、上位２つのプロットは、符号器と復号器との間の凍結ビット割り当ての不一致に対応する。予想されるように、ＬＬＲの蓄積は、負の一致数が蓄積し始めるにつれて、急激な下向き傾向を呈する。この下降の開始は、適用した移動平均長さの関数である。この下降の開始は、より短い移動平均でより早く生じ、より長い移動平均でより後に生じる。
【０１８９】
本発明者等は、符号器／復号器の凍結ビットの割り当ての一致を調査した際、ＬＬＲの蓄積が大部分は正であることを観察している。やはり、この観察は、適用した移動平均（ＭＡ）の長さの関数である。図１５の下の２つのプロットに示すように、比較的短い移動平均、例えば、ＭＡ［８］、ＭＡ［１６］は、短期間の変動を受けやすく、ブロック弁別に対するメトリックをあまり信頼できないものにしている。最終的に、早期のブロック弁別による省電力化と、この決定を行うのに使用する機構の信頼性との平衡を保つ相殺は、ＭＡサイズ内に発見することができる。
【０１９０】
図１６−一致識別に対するビット・フィードバックの影響
図１６は、一致識別手順に対する誤ったフィードバックの影響を示す。凍結ビット割り当ての不一致は、復号器の動作予想に関連する二次的影響を及ぼす。ＳＣ及びＳＣＬ復号器は、一連のｆ演算子及びｇ演算子によって特徴付けられる。ｆ演算子が入力ＬＬＲのみに依存する一方で、ｇ演算子出力は、先行するビット推定値：
【０１９１】
【数１８】
2020530973.tif 000022
【０１９２】
を条件とする。
【０１９３】
部分和の形態でｇ演算子にフィードバックされた、前もって推定したビットの一部分が、凍結ビット割り当ての不一致のために誤りである場合、下流のＬＬＲも同様に、チャネル自体のため妨害が増分する様態で影響を受けることがある。図１６のデータは、比較的高いＳＮＲで選択し、図示のように、右下のプロットのＬＬＲは、主に正の方向の傾向を見せる一方で、右上のプロットのＬＬＲは、ｇ演算子内で誤ったフィードバックと結合したチャネルの混乱を伴う影響を示す。ｇ演算子内の誤ったフィードバックは、下流のビット復号、凍結、及び情報ビットに同様に伝播し、意図しないＰＤＣＣＨによってＦＡＲが更に低減すると、早期終了を履行せず、最終ＣＲＣ検査に向かって進むはずである。特に、凍結ビット不一致の影響は、復号開始前にスクランブル・マスクを外した場合でさえ持続する。
【０１９４】
図１７−系列不一致と誤りの伝播との複合的な影響
図１７は、ｇ演算子フィードバックによる系列不一致と誤りの伝播との複合的な影響が、どのようにヒューリスティックスを生じさせるかを示し、このヒューリスティックスは、早期のブロック弁別に有用であることを証明することができる。
【０１９５】
図１７の図示の実施形態では、最尤度系列検出は、復号器出力におけるＬＬＲ（対数尤度比）を調査することによって、凍結ビットの成分における一致対不一致の決定を目的とする。一致シナリオのスクランブルを解除した後、出力ＬＬＲは、大部分が、全ゼロのビット・フィールドの推定を示す正方向に向かうことが観察される。得られたＬＬＲ蓄積は、大部分は正の勾配、同じく、スクランブル系列を正確に除いたという根拠を呈することができ、これにより、相加性雑音効果にも関わらず、凍結ビット・フィールドに全ゼロを戻す（図１７−下部の２つのグラフ）。反対に、符号値のランダムな分布は、ｇＮＢに埋め込んだ凍結ビットと比較して、受信器における凍結ビット割り当ての不一致を示すことがある。蓄積されたＬＬＲは、正と負との間を変動する勾配を呈し、ビット割り当てにおける不一致の可能性を反映する（図１７−上部の２つのグラフを参照）。
【０１９６】
ＬＬＲ蓄積に関する責任は、主に、最も信頼できないビット位置に凍結ビットを配置したことに起因する。得られたＬＬＲ蓄積は、符号化が一致又は不一致を表すかどうかに関わらず、かなりの変動を起こしやすく、したがって、直接系列検出を早期終了のメトリックとして使用不可能にする。
【０１９７】
図１８−階層化ＵＥ識別のフローチャート
図１８は、いくつかの実施形態による階層化ＵＥ識別を示すフローチャート図である。いくつかの実施形態では、受信器は、ブロック弁別を実施する際、階層化手法を取ることができ、これにより、受信器は、受信したメッセージが、受信器のＵＥ＿ＩＤに対して一致するか又は不一致であるＵＥ＿ＩＤに基づき符号化されているかどうかを決定する。代替的に、ブロック弁別は、基地局ＩＤ若しくはグループＩＤの１つ又は複数に基づき実施してもよい。ブロック弁別は、復号されるＵＥ＿ＩＤの一致／不一致を決定することを含むことができ、１つの早期終了基準に対するｓｏｆｔ  ｆａｉｌは、今度は、第２の基準に対する評価、可能性としては、その後、第３の基準に対する評価を受けることができる。図１８において、まばらな点陰影でマークされたタイムラインは、（第１の一致／不一致決定のために使用される）凍結ビット内に含まれるＥＴメトリックの利用可能度を示し、より密な点陰影は、（第２の一致／不一致決定のために使用される）Ｐｏｌａｒ符号の情報ビット内に分散した巡回冗長検査（ＣＲＣ）の位置を示す。情報ビットの末尾で付加される最終ＣＲＣ検査は、一致／不一致決定のための第３の基準として使用することができる。
【０１９８】
ＤＣＩ検出時における一致／不一致決定への階層化手法において、いくつかの実施形態では、早期終了メトリックに関して非２値尺度（即ち、２つ以上の値を取り得る尺度）を提供することが望ましい場合がある。非２値尺度は、凍結ビットの位置が異なるがそれ以外は同じＵＥ＿ＩＤを伝達する異なる長さの２つの符号化を区別するのにも有益であることがあり、この場合、２つの異なる符号化のそれぞれに対して評価される非２値尺度の相対的な大きさは、２つの復号試行のうち、分散巡回冗長検査（ＣＲＣ）又は最終ＣＲＣビットの検査を遂行するのにどちらが最高に適しているかを区別するのに役立てることができる。
【０１９９】
いくつかの実施形態では、非２値尺度は、早期終了メトリックの評価に基づき復号工程を終了する判断に関して、ＵＥ＿ＩＤ復号の一致／不一致決定に対する信頼度レベルを割り当てる尺度である。非２値尺度は、ｓｔｒｏｎｇ  ｐａｓｓ（かなり可能性が高い一致を示す）から、ｓｏｆｔ  ｆａｉｌ（規定の閾値に対する中程度の違反を示す）、ｓｔｒｏｎｇ  ｆａｉｌ（既定の閾値に対する著しい違反を示す）までの範囲に及ぶことができる。非２値尺度を使用すると、分散ＣＲＣビットを評価して一致／不一致を決定する手続きを、既定の早期終了閾値に対する（２値）違反にも関わらず保証し得るインスタンスを示すことができる。
【０２００】
いくつかの実施形態では、非２値尺度は、以下のように得ることができる。
【０２０１】
まず、復号工程の間、一致閾値に違反する早期終了メトリックの任意の観測値から記録を作製することができる。早期終了（ＥＴ）メトリックを計算する、それぞれの復号ビット位置は、観測値を作製し得る（即ち、ＥＴメトリックを閾値と比較する）インスタンスを構成することができる。
【０２０２】
いくつかの実施形態では、一致閾値に違反するＥＴメトリックの観測値の数を計数することができ、ＥＴメトリック違反に対する非２値尺度は、違反の数に基づき決定することができ、ｓｔｒｏｎｇ  ｆａｉｌは、何らかの最大許容数で生じるように決定することができる。使用する特定のＥＴメトリックは、上記で説明した様々な種類のうちの１つとすることができる。概して、違反は、復号される凍結ビットが、受信器に既知の参照ビットに対して一貫していない（即ち、不一致を呈する）場合に生じ得る。他の実施形態では、合計観測値の稼働回数に対し、一致閾値に違反する観測値の数の比率を計算することができる。これらの実施形態では、非２値尺度は、比率に基づき決定することができる。この非２値メトリックを使用し、特に、ＵＥ＿ＩＤの一致／不一致決定に対する階層化手法の場合、厳密な閾値評価を増強することができる。
【０２０３】
いくつかの実施形態では、非２値尺度の値は、ゼロと１との間で計算することができ、ゼロは、完全な一致を示し、１は、完全な不一致を示す。例えば、非２値尺度は、非２値尺度の値がゼロと１との間にあるように正規化することができる。いくつかの実施形態では、非２値尺度は、量子化することができる（即ち、正確な計算値を、３つ以上の値の個別のセットに量子化することができる）。例えば、いくつかの実施形態では、計算値は、３つの異なる値のうち１つに量子化することができる。これらの実施形態では、（例えば、ゼロから離れた所定の閾値の範囲内の）十分にゼロに近い計算値は、ゼロに切り捨て（即ち、ゼロに量子化し）、ｓｔｒｏｎｇ  ｐａｓｓを示すことができる。ゼロに近いが所定の閾値よりも遠い値は、中間値に量子化し、中程度の違反（即ち、ｓｏｆｔ  ｆａｉｌ）を示し、分散ＣＲＣビットに、終了に必要な更なる証拠を求める必要性を示唆することができる。第３に、（例えば、第２の所定の閾値の範囲内で）１に十分に近い値又は１に等しい値は、１に切り上げ、著しい違反を示し、終了するための強力な証拠（即ち、ｓｔｒｏｎｇ  ｆａｉｌ）を提供することができる。言い換えれば、０から１までの値の範囲は、以下のように３つの範囲に分割することができる：ｘが０よりも大きく、１よりも小さい、０とｘとの間の値は、ｓｔｒｏｎｇ  ｐａｓｓであると決定することができる。ｙがｘよりも大きいが、１よりも小さい、ｘとｙとの間の値は、ｓｏｆｔ  ｆａｉｌであると決定することができる。ｙと１との間の値は、ｓｔｒｏｎｇ  ｆａｉｌであると決定することができる。ｘ及びｙの固有の値は、様々な要因に基づき決定することができる。例えば、ｓｔｒｏｎｇ  ｐａｓｓ、ｓｏｆｔ  ｆａｉｌ及びｓｔｒｏｎｇ  ｆａｉｌの決定をもたらす値の範囲を調節することによって、値を経験的又は理論的に決定し、復号工程の待ち時間の低減と、フォルス・ポジティブ及びフォルス・ネガティブの出現の低減との間に望ましい平衡をもたらすことができる。
【０２０４】
他の実施形態では、非２値尺度は、より多数のカテゴリ（例えば、４つ以上）に量子化し、より多数の階層を有するブロック弁別手法をもたらすことができる。
【０２０５】
いくつかの実施形態では、ＵＥ＿ＩＤを凍結ビットに挿入することにより、第１のブロック弁別手段を提供することができる。図１８に示すように、ＥＴメトリックに従ったｓｔｒｏｎｇ  ｆａｉｌの決定は、ブロック復号の終了をもたらし、後続の復号ステップに進行することができない。ｓｔｒｏｎｇ  ｐａｓｓは、観測されたメトリックを示すことができ、このメトリックは、規定の閾値（Ａ）に対して、分散ＣＲＣの可用度（Ｂ）まで、依然として良好に挙動する。この表示が与えられると、いくつかの実施形態では、受信器は、分散ＣＲＣビットに基づくＣＲＣの迂回を選択し、これにより、待ち時間及びエネルギー消費の追加を回避することができ、判定点（Ｃ）においてＵＥ＿ＩＤの妥当性を評価する最終ＣＲＣに依存する。一方、ｓｏｆｔ  ｆａｉｌは、ｓｔｒｏｎｇ  ｆａｉｌとｓｔｒｏｎｇ  ｐａｓｓとの間の中間である非２値メトリックに対応し（即ち、ＥＴメトリック閾値を上回る最小偏位、又はいくつかの孤立ビット位置において閾値を上回る偏位を有する）、分散ＣＲＣに基づき、終了を選択する前に判定点（Ｂ）において更なる違反を保証することができる。
【０２０６】
いくつかの実施形態では、２００８における分散ＣＲＣビットに基づくＣＲＣパリティ検査の実施は、推定ＵＥ＿ＩＤを検証する第２の手段を提供することができる。ＵＥ＿ＩＤ挿入閾値がこの点に違反していない場合、ＣＲＣがｆａｉｌであると、分散ＣＲＣビットに基づき、依然として早期ブロック終了をもたらすことができる。限られた数の利用可能なビット位置が与えられると、分散ＣＲＣは、可能性のあるブロック割り当ての一部分のみをなくすのに効果的である場合があり、ブロックのサブセットは、可能性のある一致に対して同等に復号することができる。分散ＣＲＣビットに基づくＣＲＣがｆａｉｌであることを決定されると、ブロック復号工程を終了することができる。ブロック復号を終了すると、方法は、後続のブロックを復号すべきかどうかの決定を継続することができ、この場合、方法は、後続のブロックのための新たな復号工程により、再度開始することができる。更なるブロックが復号のために利用可能ではない場合、下りリンク制御情報（ＤＣＩ）復号工程を終了することができる。逆に、ｐａｓｓが決定されると、復号工程は、Ｐｏｌａｒ符号化メッセージの情報ビットの復号を継続することができ、最終ＣＲＣビットを検査し、受信器が、Ｐｏｌａｒ符号化メッセージの意図する受信者であることを最終的に検証することができる。
【０２０７】
いくつかの実施形態では、各ブロック符号化で情報ビットフィールドに付加する最終ＣＲＣは、ユーザ／グループＩＤに対する最終検証を提供する。最終ＣＲＣ検査は、省エネルギーの余裕がない。というのは、最終ＣＲＣ検査は、ブロック復号工程の終局で生じるためである。最終ＣＲＣがｆａｉｌであると、ＵＥは、ブロックの不一致が生じたことを決定することができる。言い換えれば、最終ＣＲＣは、ブロックが不一致ではないことを検証する最終検査を提供することができる。
【０２０８】
ＤＣＩ凍結ビット・スクランブルのための多重ＲＮＴＩの処理
以下の段落は、いくつかの実施形態に従って、ＤＣＩ凍結ビット・スクランブルのための多重ＲＮＴＩを処理する特定の実装形態の詳細を説明する。
【０２０９】
ＬＴＥにおいて、ＵＥは、ＤＣＩを探索する（ブラインド復号する）必要があることがあり、ＤＣＩのＣＲＣは、以下のＲＮＴＩ値の１つ又は複数に基づき、スクランブルがかけられる。ＰＤＣＣＨ領域において、ＵＥが探索する２つの領域：共有探査空間（ＣＳＳ）及びＵＥ固有探索空間（ＵＳＳ）がある。特定のサブフレームの構成に応じて、ＣＳＳ及びＵＳＳは、異なる個別の探索空間を表すことができるか、又は互いに部分的若しくは完全に重複することができる。３ＧＰＰ  ５Ｇ  ＮＲにおいて同等の機能は完全に定義されていないが、ＬＴＥにおける対応する機能にいくぶん同様であることが予期される。
【０２１０】
以下の段落は、様々なＲＮＴＩ型、並びにＣＳＳ及び／又はＵＳＳにおけるそれらの対応するＤＣＩ位置を説明する。
【０２１１】
ＳＩ−ＲＮＴＩ（システム情報）−ＣＳＳ内のＤＣＩ  １Ａ及び１Ｃ
【０２１２】
Ｐ−ＲＮＴＩ（ページング）−ＣＳＳ内のＤＣＩ  １Ａ及び１Ｃ
【０２１３】
ＲＡ−ＲＮＴＩ（ランダム・アクセス）−ＣＳＳ内のＤＣＩ  １Ａ及び１Ｃ
【０２１４】
一時Ｃ−ＲＮＴＩ−ＣＳＳ内のＤＣＩ  ０／１Ａ（ＤＣＩ  ０及びＤＣＩ  １Ａは、互いに同じビット長さを有する。ペイロード内の内部フラグを使用し、正常に復号したＤＣＩ候補がＤＣＩ  ０であるかＤＣＩ  １Ａであるかどうかを決定することができる）、並びにＵＳＳ内のＤＣＩ  １及び１Ａ
【０２１５】
Ｃ−ＲＮＴＩ−ＣＳＳ内のＤＣＩ  ０／１Ａ、ＤＣＩ  ０／１Ａ、並びに（構成される送信モードに応じて）ＵＳＳ内のＤＣＩ｛１，１Ｂ，１Ｄ，２，２Ａ，２Ｂ｝のうち１つ。いくつかの実施形態では、作動中のＵＥは、Ｃ−ＲＮＴＩを用いて常に構成することができる。
【０２１６】
ＳＰＳ  Ｃ−ＲＮＴＩ（半永続的スケジューリング）−ＣＳＳ内のＤＣＩ  ０／１Ａ、並びにＵＳＳ内のＤＣＩ  ０／１Ａ及び（例えば、構成される送信モードに応じて）ＤＣＩ｛１，２，２Ａ，２Ｂ｝のうち１つ。いくつかの実施形態では、作動中のＵＥは、任意選択でＳＰＳ  Ｃ−ＲＮＴＩを用いて構成することができる。例えば、作動中のＵＥの全てをＳＰＳ  Ｃ−ＲＮＴＩを用いて構成する必要はない。
【０２１７】
ＴＰＣ−ＰＵＣＣＨ−ＲＮＴＩ（ＰＵＣＣＨのための送信電力制御）−ＣＳＳ内のＤＣＩ  ３／３Ａ。ＤＣＩ  ３／３Ａは、ＤＣＩ  ０／１Ａと同じビット長さを有することに留意されたい。作動中のＵＥは、任意選択で、電力制御の目的でＴＰＣ−ＰＵＣＣＨ−ＲＮＴＩを用いて構成することができる。
【０２１８】
ＴＰＣ−ＰＵＳＣＨ−ＲＮＴＩ（ＰＵＳＣＨのための送信電力制御）−ＣＳＳ内のＤＣＩ  ３／３Ａ。ＤＣＩ  ３／３Ａは、ＤＣＩ  ０／１Ａと同じビット長さを有することに留意されたい。作動中のＵＥは、任意選択で、電力制御の目的でＴＰＣ−ＰＵＳＣＨ−ＲＮＴＩを用いて構成することができる。
【０２１９】
【表３】
2020530973.tif 000023
【０２２０】
上記表３は、いくつかの実施形態による、基地局での５０個のリソース・ブロック及び４つのアンテナのシステム帯域幅のための、ＬＴＥにおける候補ＤＣＩフォーマットを列挙する。わかるように、ＤＣＩ  ０、１Ａ、３及び３Ａは全て、同じビット長さを有する一方で、全ての他のＤＣＩは、一意のビット長を有する。ペイロードにおける内部フラグを使用し、所与のＲＮＴＩのための正常に復号されたＤＣＩ候補がＤＣＩ  ０又はＤＣＩ  １Ａであるかどうかを決定することができる。特定のＤＣＩ  ０／１Ａには、いくつかの異なるＲＮＴＩ値の１つでスクランブルをかけることができ、ＵＥは、どのスクランブルをかけたＲＮＴＩに基づくかを決定することによって、このＤＣＩ  ０／１Ａの状況を決定することができる。ＤＣＩ  ３又は３Ａは、ＤＣＩの上記リストで示すように、スクランブルに使用し得るＲＮＴＩ値を介して、ＤＣＩ  ０／１Ａから区別することができる。特定のセルは、補足的な電力制御の目的で、ＤＣＩ  ３又はＤＣＩ  ３Ａの（両方ではなく）いずれかを使用するように構成される、即ち、ＤＣＩ  ３及びＤＣＩ  ３Ａは、相互に排他的であることにも留意されたい。
【０２２１】
ＲＮＴＩカテゴリ
いくつかの実施形態によれば、上記で説明した異なるＲＮＴＩを３つの異なる型：同報ＲＮＴＩ、グループＲＮＴＩ及び単独ＲＮＴＩにカテゴリ化することができる。新たな更なるＲＮＴＩを５Ｇ  ＮＲに導入することができるが、これらのＲＮＴＩは、以下で説明する３つのカテゴリの１つに割り当てることができる。
【０２２２】
同報ＲＮＴＩ
同報ＲＮＴＩは、考えられる限りセル内のあらゆるＵＥに向けられ得る送信に関連付けることができる。同報ＲＮＴＩは、ＣＳＳ内で見つけることができる。同報ＲＮＴＩは、他の可能性の中でも、ＳＩ−ＲＮＴＩ、Ｐ−ＲＮＴＩ、ＲＡ−ＲＮＴＩ及び一時Ｃ−ＲＮＴＩを含むことができる。同報ＲＮＴＩは、全ての時間の間で探索しなくてもよいが、むしろ、特定のタスクを実施する際（例えば、他の可能性の中でも、ＵＥがシステム情報を取得する、ページング・メッセージを検査する、又はランダム・アクセスを実施する間）に探索される。したがって、同報ＲＮＴＩが関与する際、早期終了を介する節電の可能性はより低い可能性がある。しかし、同報ＲＮＴＩに関連付けたＤＣＩは、ＣＳＳ内に存在することができ、非同報ＲＮＴＩに関連付けたＤＣＩを探索するＵＥが、同報ＲＮＴＩを関連付けたＤＣＩをマッピングしてある候補ＤＣＩ空間をブラインド復号する際、早期終了を実施できることが望ましい場合がある。
【０２２３】
グループＲＮＴＩ
グループＲＮＴＩは、セル内のＵＥのサブセット又はグループに向けられる送信に関連付けることができる。グループＲＮＴＩは、ＣＳＳ内で見つけることができる。グループＲＮＴＩは、他の可能性の中でも、ＴＰＣ−ＰＵＣＣＨ−ＲＮＴＩ及びＴＰＣ−ＰＵＳＣＨ−ＲＮＴＩを含むことができる。グループＲＮＴＩは、典型的には、（構成される際）作動中のサブフレームごとにＵＥによって探索することができる。
【０２２４】
単独ＲＮＴＩ
単独ＲＮＴＩは、セル内の特定のＵＥに向けられる送信に関連付けることができる。単独ＲＮＴＩは、正確なＤＣＩフォーマットに応じて、ＣＳＳ又はＵＳＳ内で見つけることができる。単独ＲＮＴＩは、他の可能性の中でも、Ｃ−ＲＮＴＩ及びＳＰＳ  Ｃ−ＲＮＴＩを含むことができる。単独ＲＮＴＩは、典型的には、（構成される際）作動中のサブフレームごとに探索することができる。
【０２２５】
ＤＣＩ候補カテゴリ
いくつかの実施形態では、重複するＤＣＩ候補の２つのカテゴリを説明することができ、異なるＲＮＴＩは、以下のように考慮される。
【０２２６】
カテゴリ１：同報ＲＮＴＩ、グループＲＮＴＩ又は単独ＲＮＴＩを用いるＣＳＳ内のＤＣＩ  ０／１Ａ／３／３Ａ（すべてが同じ長さ）
【０２２７】
本明細書では解決策１−Ａと呼ぶ、カテゴリ１のための第１の解決策は、以下のように説明することができる。同報ＲＮＴＩ（例えば、ＳＩ−ＲＮＴＩ、Ｐ−ＲＮＴＩ，、ＲＡ−ＲＮＴＩ、一時Ｃ−ＲＮＴＩ）を使用するＣＳＳ内のＤＣＩ（例えば、ＤＣＩ  １Ａ、１Ｃ）は、どのＲＮＴＩを使用中であるかに関わらず、全ゼロ系列又は固定の既知系列でスクランブルをかけた凍結ビットを有することができる。ＣＲＣには、適切な同報ＲＮＴＩに基づき、差異化する目的でスクランブルをかけることができる。ＤＣＩ  １Ｃは、同報ＲＮＴＩの場合にのみ使用し得ることに留意されたい。
【０２２８】
様々な実施形態によれば、グループＲＮＴＩ（例えば、ＴＰＣ−ＰＵＣＣＨ−ＲＮＴＩ、ＴＰＣ−ＰＵＳＣＨ−ＲＮＴＩ）を使用するＣＳＳ内のＤＣＩ（例えば、ＤＣＩ  ３又は３Ａ）には、解決策１−Ａによる３つの様式のうち１つでスクランブルをかけることができる。
【０２２９】
一実施形態（解決策１−Ａ−ｉ）では、そのようなＤＣＩは、全ゼロ系列又は固定の既知系列でスクランブルをかけた凍結ビットを有することができる。ＣＲＣには、適切なグループＲＮＴＩに基づき、最終的なＵＥを識別するためにスクランブルをかけることができる。
【０２３０】
別の実施形態（解決策１−Ａ−ｉｉ）では、ＴＰＣ−ＰＵＣＣＨグループを特定のＴＰＣ−ＰＵＣＣＨ−ＲＮＴＩを共有するＵＥグループとして定義することができる。ＴＰＣ−ＰＵＳＣＨグループは、特定のＴＰＣ−ＰＵＳＣＨ−ＲＮＴＩを共有するＵＥグループとして定義することができる。この特定の選択の場合、セル内でグループＲＮＴＩにより構成される各ＵＥは、以下の条件のうち１つを満たすことを要求することができる。ＵＥは、ＴＰＣ−ＰＵＣＣＨ−ＲＮＴＩを用いて構成するが、ＴＰＣ−ＰＵＳＣＨ−ＲＮＴＩを用いて構成しないことを要求することができ、また、このＵＥのＴＰＣ−ＰＵＳＣＨグループ内の全ての他のＵＥも、ＴＰＣ−ＰＵＳＣＨ−ＲＮＴＩを用いて構成すべきではなく、ＵＥは、ＴＰＣ−ＰＵＳＣＨ−ＲＮＴＩを用いて構成するが、ＴＰＣ−ＰＵＣＣＨ−ＲＮＴＩを用いて構成しないことを要求することができ、また、このＵＥのＴＰＣ−ＰＵＳＣＨグループ内の全ての他のＵＥも、ＴＰＣ−ＰＵＣＣＨ−ＲＮＴＩを用いて構成すべきではない、又はＵＥは、ＴＰＣ−ＰＵＣＣＨ−ＲＮＴＩ及びＴＰＣ−ＰＵＳＣＨ−ＲＮＴＩの両方を用いて構成することを要求することができ、また、このＵＥのＴＰＣ−ＰＵＣＣＨグループ及びＴＰＣ−ＰＵＳＣＨグループのメンバーは、同一でなければならない。
【０２３１】
ＵＥをＴＰＣ−ＰＵＳＣＨ−ＲＮＴＩを用いて構成してある場合、ＤＣＩの凍結ビットは、このＴＰＣ−ＰＵＳＣＨ−ＲＮＴＩに基づきスクランブルをかけることができ、ＣＲＣは、適宜、（ＴＰＣ−ＰＵＳＣＨ−ＲＮＴＩ又はＴＰＣ−ＰＵＣＣＨ−ＲＮＴＩにより構成される場合）ＴＰＣ−ＰＵＳＣＨ−ＲＮＴＩ又はＴＰＣ−ＰＵＣＣＨ−ＲＮＴＩに基づきスクランブルをかけることができる。ＵＥをＴＰＣ−ＰＵＣＣＨ−ＲＮＴＩにより構成してあるが、ＴＰＣ−ＰＵＳＣＨ−ＲＮＴＩにより構成していない場合、ＤＣＩの凍結ビット及びＣＲＣは、このＴＰＣ−ＰＵＣＣＨ−ＲＮＴＩに基づきスクランブルをかけることができる。
【０２３２】
更に別の実施形態（解決策１−Ａ−ｉｉｉ）では、ＴＰＣ−ＰＵＣＣＨ−ＲＮＴＩに関連付けたＤＣＩ  ３又は３Ａの凍結ビット及びＣＲＣは、このＴＰＣ−ＰＵＣＣＨ−ＲＮＴＩに基づきスクランブルをかけることができる。ＴＰＣ−ＰＵＳＣＨ−ＲＮＴＩに関連付けたＤＣＩ  ３又は３Ａの凍結ビット及びＣＲＣは、このＴＰＣ−ＰＵＳＣＨ−ＲＮＴＩに基づきスクランブルをかけることができる。この解決策は、ＵＥが実施するブラインド復号の数を増大し得ることに留意されたい。というのは、個別のブラインド復号は、（両方のＲＮＴＩを構成する場合）ＵＥのＴＰＣ−ＰＵＣＣＨ−ＲＮＴＩ及びＴＰＣ−ＰＵＳＣＨ−ＲＮＴＩのそれぞれに対して実施する必要がある可能性があるためである。しかし、このことは、ＵＥのＴＰＣ−ＰＵＣＣＨグループ及びＴＰＣ−ＰＵＳＣＨグループのメンバーが同一である必要があるという要件を除くことができる。
【０２３３】
単独ＲＮＴＩ（例えば、Ｃ−ＲＮＴＩ、ＳＰＳ  Ｃ−ＲＮＴＩ）を使用するＣＳＳ内のＤＣＩ（例えば、ＤＣＩ  ０／１Ａ）は、以下のようにスクランブルをかけることができる。対応するＵＥが、任意のグループのＲＮＴＩを用いて構成していない（ＴＰＣ−ＰＵＣＣＨ−ＲＮＴＩでも、ＴＰＣ−ＰＵＳＣＨ−ＲＮＴＩでもない）場合、ＤＣＩの凍結ビットは、ＵＥのＣ−ＲＮＴＩに基づきスクランブルをかけることができ、ＣＲＣは、適宜、ＵＥのＣ−ＲＮＴＩ又はＳＰＳ  Ｃ−ＲＮＴＩに基づきスクランブルをかけることができる。
【０２３４】
対応するＵＥが、ＴＰＣ−ＰＵＳＣＨ−ＲＮＴＩにより構成してある場合、ＤＣＩの凍結ビットは、このＴＰＣ−ＰＵＳＣＨ−ＲＮＴＩに基づきスクランブルをかけ、ＣＲＣは、適宜、ＵＥのＣ−ＲＮＴＩ又はＳＰＳ  Ｃ−ＲＮＴＩに基づきスクランブルをかけられる。
【０２３５】
対応するＵＥが、ＴＰＣ−ＰＵＳＣＨ−ＲＮＴＩを用いて構成していないが、ＴＰＣ−ＰＵＣＣＨ−ＲＮＴＩを用いて構成してある場合、ＤＣＩの凍結ビットは、ＴＰＣ−ＰＵＣＣＨ−ＲＮＴＩに基づきスクランブルをかけることができ、ＣＲＣは、適宜、ＵＥのＣ−ＲＮＴＩ又はＳＰＳ  Ｃ−ＲＮＴＩに基づきスクランブルをかけることができる。
【０２３６】
本明細書では解決策１−Ｂと呼ぶ、カテゴリ１のための第２の解決策は、以下のように説明することができる。ＣＳＳ内に位置するあらゆるＤＣＩは、どのＲＮＴＩがＤＣＩに関連付けられるかに関わらず、全ゼロ系列又は固定の既知系列によりスクランブルをかけた凍結ビットを有することができる。それぞれのそのようなＤＣＩのＣＲＣは、適切な同報ＲＮＴＩ、グループＲＮＴＩ又は単独ＲＮＴＩに基づきスクランブルをかけることができる。このことは、ＣＳＳ内に位置する任意のＤＣＩ候補に対する早期終了を実施できないことを犠牲にして、候補ＤＣＩフォーマット及び候補位置につきただ１つのブラインド復号を実施することを保証することができる。
【０２３７】
解決策１−Ｂの場合、（全ゼロ系列又は固定の既知系列によるスクランブルではなく）固有ＲＮＴＩ値に基づく凍結ビットのスクランブルは、厳密にＵＳＳ内に位置するＤＣＩでのみ使用することができ、これにより、厳密にＵＳＳ内に位置するＤＣＩ候補に対してのみ早期終了を可能にする。
【０２３８】
ＤＣＩ候補の第２のカテゴリは、２つのサブカテゴリ、カテゴリ２のＡ部及びＢ部に分割することができる。
【０２３９】
カテゴリ２（Ａ部）：複数の単独ＲＮＴＩを用いるＵＳＳ内のＤＣＩ  ０／１Ａ及びＤＣＩ｛１，２，２Ａ，２Ｂ｝のうち１つ（即ち、ＵＥは、Ｃ−ＲＮＴＩ及びＳＰＳ  Ｃ−ＲＮＴＩの両方を用いて構成されている）。単独ＲＮＴＩのみが、典型的には、ＵＳＳで使用されることに留意されたい。同報ＲＮＴＩ及びグループＲＮＴＩは、一般に、ＵＳＳ内で使用されない。
【０２４０】
いくつかの実施形態では、カテゴリ２のＡ部は、以下のように対処することができる。ＳＰＳ  Ｃ−ＲＮＴＩを用いて構成したＵＥは、必ず、Ｃ−ＲＮＴＩも有することができる。ＵＳＳ内のあらゆるＵＥ固有ＤＣＩの凍結ビットは、ＵＥのＣ−ＲＮＴＩに基づきスクランブルをかけることができる。そのようなＤＣＩのＣＲＣは、適宜、ＵＥのＣ−ＲＮＴＩ又はＳＰＳ  Ｃ−ＲＮＴＩに基づきスクランブルをかけることができる。
【０２４１】
ＣＳＳとＵＳＳとの間に重複する候補探索空間がある場合、ｇＮＢは、任意のＤＣＩ  ０／１Ａを処理することができ、このＤＣＩ  ０／１Ａは、単独ＲＮＴＩに関連付けられ、ＵＳＳ内ではなくＣＳＳ内に位置する重複候補探索空間にある。（代替実施形態では、ｇＮＢは、ＣＳＳ内ではなくＵＳＳ内に位置するＤＣＩ  ０／１Ａを処理することができる）。
【０２４２】
カテゴリ２（Ｂ部）：単一の単独ＲＮＴＩを用いるＵＳＳ内のＵＥ固有ＤＣＩ候補（ＤＣＩ  ０／１Ａ及びＤＣＩ｛１，２，２Ａ，２Ｂ｝のうち１つ）（即ち、ＵＥは、Ｃ−ＲＮＴＩのみを用いて構成されており、ＳＰＳ  Ｃ−ＲＮＴＩを有さない）。このことは、ＵＥがＳＰＳ  Ｃ−ＲＮＴＩを用いて構成されている場合でさえ、ＵＳＳ内のＤＣＩ｛１Ｂ，１Ｄ｝のうち１つのケースも含むことができる。というのは、これら特定のＤＣＩフォーマットは、Ｃ−ＲＮＴＩのみを用いて使用され、ＳＰＳ  Ｃ−ＲＮＴＩを用いて使用されないためである。
【０２４３】
いくつかの実施形態では、カテゴリ２のＢ部は、以下のように対処することができる。ＵＳＳ内の任意のＵＥ固有ＤＣＩの凍結ビットは、ＵＥのＣ−ＲＮＴＩに基づきスクランブルをかけることができ、そのようなＤＣＩのＣＲＣは、ＵＥのＣ−ＲＮＴＩに基づきスクランブルをかけることができる。
【０２４４】
ＣＳＳとＵＳＳとの間に重複する候補探索空間がある場合、ｇＮＢは、任意のＤＣＩ  ０／１Ａを処理することができ、このＤＣＩ  ０／１Ａは、単独ＲＮＴＩ（Ｃ−ＲＮＴＩ）に関連付けられ、ＵＳＳ内ではなくＣＳＳ内に位置する重複候補探索空間にある。（代替実施形態では、ｇＮＢは、ＣＳＳ内ではなくＵＳＳに位置するＤＣＩ  ０／１Ａを処理することができる）。
【０２４５】
【表４】
2020530973.tif 000024
【０２４６】
いくつかの実施形態では、符号語スクランブルは、表４で要約したＲＮＴＩマッピングの範囲を考慮に入れることができる。提案するマッピングは、ブロック弁別の複数のモードを可能にする。
【０２４７】
例えば、いくつかの実施形態では、１対１のマッピングを用いることができ、これにより、凍結ビット・フィールド内で割り当てられたＣ−ＲＮＴＩの拡散は、候補探査空間内で遭遇するあらゆる空き（ｖａｃａｎｃｙ）（即ちＡＷＧＮ）を含む、現在のユーザに向けられていないブロックを弁別する手段を提供することができる。凍結ビットのマッピングは、更に、予期されるＤＣＩサイズ／符号レートの不一致を表す復号試行に対する早期終了を可能にし得る。これらの実施形態では、情報ビットのスクランブルは、隣接セルとはいえ、正確なＲＮＴＩが割り当てられる場合でさえ、ＣＲＣにｆａｉｌをもたらすことができる。ＣＲＣマスクは、受信したＲＮＴＩ、即ち、Ｃ−ＲＮＴＩ又はＳＰＳ−ＲＮＴＩを検証する手段を提供することができる。
【０２４８】
１対１のマッピングを用いるいくつかの実施形態では、別個のＲＮＴＩは、同じＵＥに向けた異なる長さ及び／又は符号レートのブロックを弁別する助けになることができる。例えば、Ｃ−ＲＮＴＩ＋０及びＣ−ＲＮＴＩ＋１を使用し、長さ０、長さ１・・・それぞれのブロックへの凍結ビット挿入のためのＰＲＳ拡散を初期化することができる。なお、ＣＲＣスクランブルは、割り当てたＣ−ＲＮＴＩの使用を保つことができる。
【０２４９】
いくつかの実施形態では、１対多のマッピングを用いることができ、これにより、凍結ビット・フィールド内での同報ＲＮＴＩの割り当ては、ＲＮＴＩ固有ＣＲＣマスクに基づく最終ブロック弁別に対するＣＳＳの探索を促進することができる。これらの実施形態は、ＵＥ固有符号化及びあらゆる空きの探査空間候補を弁別する手段を提供することができる。グループＲＮＴＩは、共有探索空間を占めるそれぞれのサブグループを区別する手段を提供することができる。複数の重複しないサブグループに対処する一方で、早期終了の利益を保つ能力は、例えば、ＮＲに有益であることを証明することができる。
【０２５０】
１対多のマッピングを用いるいくつかの実施形態では、グループＲＮＴＩの割り当てと等しく、同報ＲＮＴＩは、ＣＳＳ内で必要とされる復号試行を低減することができる。更に、別個のグループＲＮＴＩを割り当てると、重複しないサブグループ、即ち、グループi、グループj、グループk・・・等に別々に対処する手段を提供することができる。
【０２５１】
いくつかの実施形態では、多対１のマッピングを用いることができ、これにより、ＵＥが所与のサブフレーム内で２つ以上のＤＣＩ型を予期しているケースでは、多重ＲＮＴＩを導入し、複数の復号試行の必要性をなくす（例えば、参照により組み込まれる上記引用文献３を参照）。単独ＲＮＴＩは、最終ＤＣＩ検証のため、ＣＲＣマスク内で使用することができる。
【０２５２】
いくつかの実施形態では、マッピングを用いない場合がある（即ち、空きマッピング）。これらの実施形態では、ＵＥ＿ＩＤの不一致と同様に、候補探索空間におけるＡＷＧＮは、スクランブルを解除した凍結ビット成分内で不一致をもたらし、可能性として早期終了をもたらすことができる。ＣＲＣマスクは、候補探索空間内で空きに遭遇すると、最終弁別を提供することができる。
【０２５３】
Ｐｏｌａｒ符号におけるＨＡＲＱ  ＡＣＫ／ＮＡＣＫの符号化
いくつかの実施形態は、ハイブリッド自動再送要求（ＨＡＲＱ）適用例のための本明細書で説明する技法を用いることができる。これらの実施形態では、下りリンク制御情報（ＤＣＩ）及び／又は上りリンク制御情報（ＵＣＩ）チャネル上での下りリンク（ＤＬ）及び／又は上りリンク（ＵＬ）のＨＡＲＱ確認応答／否定確認応答ＡＣＫ／ＮＡＣＫメッセージは、（例えば、ＵＲＬＬＣ又は他の適用例のための）Ｐｏｌａｒ符号を選択した場合、凍結ビットを通じて遂行することができる。特定の実装形態の詳細はＮＲでは未判定であるにも関わらず、定義上は、ＵＲＬＬＣは、高い信頼性及び低い待ち時間を必要とすることが予期される。このことは、凍結ビットへのＡＣＫ／ＮＡＣＫ挿入に関し有利な機会を提示することができる。例えば、データ・チャネル通信上に重畳されるのとは反対に、ＡＣＫ／ＮＡＣＫを制御チャネル上で明示的に運ぶインスタンスと同様に、制御チャネル上のＤＬ  ＨＡＲＱに信号を送信することができる。拡散が１つ又は複数のＡＣＫ／ＮＡＣＫビット（複数可）の強固な符号化を表し得るＤＬ  ＨＡＲＱの場合を除いて、上記で説明したのと同じ符号拡散機構を適用することができる。例えば、拡散マッピングは、擬似ランダム系列でＡＣＫ／ＮＡＣＫビット（複数可）を変調することによって、ＡＣＫ／ＮＡＣＫビット（複数可）上で実施し、凍結ビット・フィールドの程度と同じ長さであるＰＲＢＳを得ることができる。いくつかの実施形態では、拡散とブロック符号化とを組み合わせ、複数のＡＣＫ／ＮＡＣＫビットを符号化することができる。凍結ビットにおけるＡＣＫ／ＮＡＣＫの早期決定は、ＨＡＲＱ工程を起動する際、ｇＮＢにおいてより低い待ち時間をもたらすことができる。
【０２５４】
いくつかの実施形態では、信頼性は、Ｐｏｌａｒ符号化制御チャネルにおける凍結ビット及び情報ビットの両方の上でＤＬ／ＵＬ  ＨＡＲＱ  ＡＣＫ／ＮＡＣＫ等の情報の信号を送ることによって増大することができる。閾値に対する凍結ビットのメトリックの評価は、ＨＡＲＱ工程を開始する際、又は情報ビットにおけるＡＣＫ／ＮＡＣＫに対する復号の完了を待機する際に高い信頼度があるかどうかを示すことができる。
【０２５５】
本明細書で説明する実施形態は、ＨＡＲＱ機能に適合する様式でＤＣＩ早期終了を用いることができる。例えば、ＳＮＲを伴うＵＥ＿ＩＤ挿入に固有の拡張性は、拡散マッピングによるＵＥ＿ＩＤ挿入を、ＤＣＩ上のＨＡＲＱ再送信での使用に有利に適したものにする。特定のＵＥ（例えば、ＵＥ１０６Ａ又はＵＥA）は、低いＳＮＲで動作することができ、このＵＥに向けたメッセージの再送信を必要とする可能性がある。ＵＥAの場合、早期終了の利得は、低減することがある。というのは、このＵＥは、メッセージを正常に受信するために再送信を依然として待機する必要があるためである。
【０２５６】
この場合、再送信は、ＵＥAによる正確な復号の尤度の改善に役立てることができる。しかし、周囲のユーザ、特に、より高いＳＮＲでのユーザ（例えば、他のユーザがｇＮＢにより近接する場合がある）は、ＵＥAのための元の送信及びあらゆる再送信を終了する可能性から利益を得ることができる。ＵＥAは、個々に、それぞれ後続の再送信で意図されるＤＣＩの復号を試行し続けることができる。セル全体の観点から、周囲のＵＥは、ブロックが再送信を構成するか否かに関わらず、別のユーザのためのあらゆるブロックを終了することを目的とすることができる。周囲のＵＥの省エネルギーは、あらゆる再送信を含め、ＵＥAに送信される任意のブロック及び全てのブロックを無視する能力に部分的に依存し得る。これらの実施形態では、周囲のＵＥのうちの１つのためではない再送信の早期終了は、これら周囲のＵＥに対して著しい省エネルギーをもたらすことができる。
【０２５７】
図１９−Ｐｏｌａｒ符号へのＨＡＲＱ  ＡＣＫ／ＮＡＣＫ挿入のフローチャート
図１９は、いくつかの実施形態による、Ｐｏｌａｒ符号の凍結ビット及び／又は情報ビットにＨＡＲＱ  ＡＣＫ／ＮＡＣＫメッセージを挿入する方法を示すフローチャート図である。図１９に示す方法は、他のデバイスの中でも、上記図面に示すシステム又はデバイスのいずれかと共に使用することができる。様々な実施形態では、図示する方法要素のいくつかは、同時に実施するか、図示する以外の異なる順序で実施することができるか、又は省くことができる。更なる方法要素は、必要に応じて実施することもできる。図示のように、この方法は、以下のように動作させることができる。
【０２５８】
２１０２において、ユーザ機器（ＵＥ）は、下りリンクメッセージを基地局から正常に受信したかどうかを決定することができる。例えば、ＵＥは、下りリンクメッセージに関する要求を基地局に前もって送信しておくことができる、及び／又は基地局から下りリンクメッセージを受信するように前もってスケジュール設定しておくことができ、ＵＥは、下りリンクメッセージのための特定の時間で特定の無線リソースを監視することができる。下りリンクメッセージの受信に続いて、ＵＥは、メッセージを復号し、メッセージを正常に受信したかどうか、又はメッセージの再送信が望ましいかどうかを決定することができる。下りリンクメッセージを正常に受信したかどうか、受信が不成功であったか、又は全く受信していないかどうかに応じて、ＵＥは、ハイブリッド自動再送要求（ＨＡＲＱ）確認応答又は否定確認応答メッセージを基地局に送信することを希望することができる。
【０２５９】
２１０４において、下りリンクメッセージが正常に受信されたかどうかという決定に基づき、ＵＥは、ＨＡＲＱ確認応答メッセージに基づき、Ｐｏｌａｒ符号の複数の凍結ビットを変調し、複数の変調凍結ビットを生成することができる。ＨＡＲＱ確認応答メッセージは、肯定確認応答メッセージ（ＡＣＫ）又は否定確認応答メッセージ（ＮＡＣＫ）のいずれかとすることができる。例えば、ＵＥが下りリンクメッセージを正常に受信した場合、ＵＥは、ＨＡＲＱ  ＡＣＫメッセージに基づき複数の凍結ビットを変調することができる一方で、ＵＥが下りリンクメッセージの受信に不成功であった場合、ＵＥは、ＨＡＲＱ  ＮＡＣＫメッセージに基づき複数の凍結ビットを変調することができる。
【０２６０】
いくつかの実施形態では、ＨＡＲＱ確認応答メッセージによる複数の凍結ビットの前記変調は、凍結ビットと同じ長さを有する擬似ランダム２値系列を得るため、ＨＡＲＱ確認応答メッセージに対して拡散マッピングを実施することを伴うことができる。この場合、ＵＥは、擬似ランダム２値系列で複数の凍結ビットを変調することができる。Ｐｏｌａｒ符号の凍結ビット・フィールドの範囲は、ＡＣＫ／ＮＡＣＫメッセージの範囲よりも実質的に長くてもよいため、拡散マッピングは、符号化されるＡＣＫ／ＮＡＣＫメッセージ内に大規模な冗長性を導入することができる。Ｐｏｌａｒ符号内で凍結ビットは情報ビットほど信頼できないため、この冗長性は、基地局が、凍結ビットを正常に復号するのを支援することができる一方で、依然として、基地局が、ＡＣＫ／ＮＡＣＫメッセージを情報ビットのみの中で符号化する場合よりも早期にＡＣＫ／ＮＡＣＫメッセージを復号するのを可能にする。
【０２６１】
いくつかの実施形態では、Ｐｏｌａｒ符号の情報ビットは、代替又は追加として、下りリンクメッセージを正常に受信したかどうかという決定に基づき、ＨＡＲＱ  ＡＣＫ／ＮＡＣＫメッセージに基づき変調することができる。例えば、情報ビットは、ＨＡＲＱ  ＡＣＫ／ＮＡＣＫメッセージの第２の符号化で利用することができる。基地局が、凍結ビット内で符号化されたＨＡＲＱ  ＡＣＫ／ＮＡＣＫメッセージを正常に復号できなかった場合（例えば、符号化メッセージが、かなり不良な無線状態を通じて送信される場合）、情報ビットは、ＨＡＲＱ  ＡＣＫ／ＮＡＣＫメッセージの第２の復号で利用することができる。
【０２６２】
いくつかの実施形態では、拡散マッピングの実施をブロック符号化とを組み合わせ、複数のＡＣＫ／ＮＡＣＫビットを符号化することができる。例えば、ＵＥが、ＵＥが基地局から受信するようにスケジュール設定した複数のメッセージ及び／又は複数のメッセージ部分に関連付けた複数のＡＣＫ／ＮＡＣＫビットを送信することが望ましい場合がある。
【０２６３】
２１０６において、ＵＥは、Ｐｏｌａｒ符号を使用して、符号化ＨＡＲＱ  ＡＣＫ／ＮＡＣＫメッセージを得るため、複数の変調凍結ビット及び複数の情報ビットを符号化することができる。
【０２６４】
２１０８において、ＵＥは、符号化ＨＡＲＱ  ＡＣＫ／ＮＡＣＫメッセージを基地局にワイヤレスに送信することができる。いくつかの実施形態では、符号化ＨＡＲＱ  ＡＣＫ／ＮＡＣＫメッセージは、超高信頼低遅延通信（ＵＲＬＬＣ）サービスに関連付けて送信される。いくつかの実施形態では、符号化ＨＡＲＱ  ＡＣＫ／ＮＡＣＫメッセージは、基地局が前もってスケジュール設定していた無線リソースを使用してワイヤレスに送信することができる。例えば、基地局とＵＥとの間のより早期の通信により、ＵＥが上りリンクＡＣＫ／ＮＡＣＫメッセージングを送信するのに特定の無線リソース（例えば、特定の時間及び／又は周波数リソース）をスケジュール設定しておくことができ、ワイヤレス送信は、この無線リソースを利用して実施することができる。
【０２６５】
図２０−Ｐｏｌａｒ符号化ＨＡＲＱメッセージングのフローチャートの続き
図２０は、図１９に関連して説明する方法の受信器側からの継続を示すフローチャート図である。例えば、図２０で説明する方法は、図１９のステップ２１０８の完了後に開始することができる。図１９に示す方法は、他のデバイスの中でも、上記図面に示すシステム又はデバイスのいずれかと共に使用することができる。様々な実施形態では、図示する方法要素のいくつかは、同時に実施するか、図示する以外の異なる順序で実施することができるか、又は省くことができる。更なる方法要素は、必要に応じて実施することもできる。図示のように、この方法は、以下のように動作させることができる。
【０２６６】
２２０２において、基地局は、ＵＥから符号化ＨＡＲＱ確認応答メッセージを受信することができる。例えば、基地局は、図１９のステップ２１０８において送信される符号化ＨＡＲＱメッセージを受信することができる。符号化ＨＡＲＱ  ＡＣＫ／ＮＡＣＫメッセージは、ＵＥに下りリンクメッセージを送信する基地局に応じて、基地局が受信することができる。例えば、基地局は、下りリンクメッセージをＵＥに送信することができ、符号化ＨＡＲＱ  ＡＣＫ／ＮＡＣＫメッセージに特定の無線リソース（例えば、基地局がＵＥにＨＡＲＱ確認応答フィードバックを送信することをスケジュール設定していた無線リソース）を監視し、ＵＥが下りリンクメッセージを正常に受信したかどうかを決定することができる。
【０２６７】
２２０４において、基地局は、符号化ＨＡＲＱ確認応答メッセージに対する復号工程を開始することができる。復号工程は、Ｐｏｌａｒ復号工程を含むことができ、Ｐｏｌａｒ復号工程は、Ｐｏｌａｒ符号の情報ビットを復号する前、最初に、Ｐｏｌａｒ符号の凍結ビットを復号する。
【０２６８】
２２０６において、基地局は、凍結ビットの復号したサブセットと、否定確認応答（ＮＡＣＫ）メッセージに関連付けた参照ビット系列との間の一致が、所定の閾値を上回ることを決定することができる。例えば、早期終了に関して上記でより詳細に説明したように、基地局は、復号された凍結ビットのサブセットと、対応する参照ビット系列との移動比較を保つことができ、参照ビット系列は、ＨＡＲＱ  ＡＣＫ／ＮＡＣＫメッセージがＮＡＣＫメッセージである場合に得られるはずのものである。凍結ビットの復号されたサブセット及び参照ビット系列が、所定の閾値を超える度合いまで一致する場合、基地局は、符号化ＨＡＲＱ  ＡＣＫ／ＮＡＣＫメッセージがＮＡＣＫメッセージであることを決定することができる。有利には、基地局は、前もってＵＥに符号化ＨＡＲＱ  ＡＣＫ／ＮＡＣＫメッセージを特定の無線リソース内で送信することをスケジュール設定してあるため、基地局は、符号化ＨＡＲＱ  ＡＣＫ／ＮＡＣＫメッセージがＡＣＫメッセージであるか若しくはＮＡＣＫメッセージであるかどうかの決定に加えて、符号化ＨＡＲＱ  ＡＣＫ／ＮＡＣＫメッセージからＵＥ識別子を復号しなくてもよく、基地局によって単独決定を行い、符号化ＨＡＲＱ  ＡＣＫ／ＮＡＣＫメッセージがＡＣＫメッセージであるか若しくはＮＡＣＫメッセージであるかどうかの結論を出すことができる。
【０２６９】
いくつかの実施形態では、基地局は、符号化ＨＡＲＱ  ＡＣＫ／ＮＡＣＫメッセージがＮＡＣＫメッセージであるか又はＡＣＫメッセージであるかという決定を行わずに、凍結ビットの全ての復号を完了することができる。これらの実施形態では、ＡＣＫ／ＮＡＣＫビットは、Ｐｏｌａｒ符号の情報ビット内で更に符号化することができ、基地局は、情報ビットの復号を継続し、符号化ＨＡＲＱ  ＡＣＫ／ＮＡＣＫメッセージがＡＣＫメッセージであるか又はＮＡＣＫメッセージであるかどうかを識別することができる。
【０２７０】
２２０８において、基地局は、凍結ビット系列と、否定確認応答（ＮＡＣＫ）メッセージに関連付けた参照ビット系列との間の一致が、所定の閾値を上回るという決定に基づき、ＵＥに対する下りリンクメッセージの早期再送信をスケジュール設定することができる。言い換えれば、基地局が符号化ＨＡＲＱ  ＡＣＫ／ＮＡＣＫメッセージがＮＡＣＫメッセージであることを決定した場合、基地局は、下りリンクメッセージの早期再送信をスケジュール設定することができる。例えば、基地局は、ＵＥでの下りリンクメッセージの早期再送信をスケジュール設定することができ、基地局は、早期再送信をスケジュール設定するより前に完全なＨＡＲＱ  ＡＣＫ／ＮＡＣＫメッセージを復号した場合に可能であるよりも早期の送信を予定することができる。次に、基地局は、再送信スケジュールに従って下りリンクメッセージを再送信することができ、ＵＥは、再送信された下りリンクメッセージを受信することができる。
【０２７１】
いくつかの実施形態では、符号化ＨＡＲＱ  ＡＣＫ／ＮＡＣＫメッセージがＡＣＫメッセージである（又はＮＡＣＫメッセージではない）ことが決定された場合、基地局は、方法を終了することができ、下りリンクメッセージを再送信しなくてよい。
【０２７２】
基地局は、情報ビットを復号する前に凍結ビットを復号するため、凍結ビットにおけるＮＡＣＫメッセージの符号化は、基地局が、ＮＡＣＫメッセージを情報ビット内のみで符号化するよりも前に再送信が必要であることを決定することを可能にし得る。これにより、ＵＥは、再送信をより早期に受信し、待ち時間の影響を受けやすいワイヤレス適用例（例えば、ＵＲＬＬＣ適用例）におけるユーザ・エクスペリエンスを改善することができる。
【０２７３】
結び
本明細書の実施形態は、ＤＣＩブラインド検出時、早期のブロック弁別を促進するため、Ｐｏｌａｒ符号構成に一体である凍結ビットを割り当てる方法を説明する。この提案は、ユーザＩＤを伝達する凍結ビット成分の使用を可能にするという、Ｐｏｌａｒ符号に一意の特性を活用する。この構成は、ＬＴＥの目標セットに合うようなセル分離をもたらすため、更に活用される。最終結果は、ＣＥＬＬ＿ＩＤ及びＵＥ＿ＩＤの両方を可能にするスクランブル系列であり、早期終了という利益が追加される。復号器で再現すると、この刷り込みは、設計によって大部分が何らかの他のユーザに向けられたものである多数の候補ＰＤＣＣＨの中で、特定の受信器に向けたブロックを見分けるのに有用である。
【０２７４】
復号中断の判断を含むブロック決定の信頼性は、基礎をなすチャネルの信頼性に従って、ビット位置に応じて改善される。この手法は、依然として考慮中の符号構成に対するＰＣ、ＣＲＣ又は複合方法に適合する。ＵＥ＿ＩＤを埋め込むという、提案する方法において、推定される符号器及び復号器の実装形態に加えられる変化は最小である。提案する方法は、アルゴリズム設計に広い許容範囲を更にもたらし、受信器製造業者が早期終了の省電力化と信頼性とを相殺することを可能にする。
【０２７５】
早期ブロック弁別は、ブラインドＤＣＩ検出時、ＵＥにおけるエネルギー消費の低減にかなり重要な影響を及ぼす。ＵＥ＿ＩＤ表現を凍結ビット・フィールドに挿入すると、現在のユーザのためのブロック復号・符号化の過程で、別のユーザに向けたブロックから早期に区別する効果的な手段を受信器にもたらす。本開示は、弁別マスクを説明し、弁別マスクは、複数の目的の役割：凍結ビット成分内に埋め込まれたＵＥ＿ＩＤに基づく早期のブロック弁別、情報ビット・スクランブルに基づく隣接セルの干渉の軽減、及びＣＲＣスクランブルに基づくユーザＩＤの最終検証を果たすことを意図する。本明細書で説明する実施形態は、早期終了のために提案されるメトリックを詳述する。凍結ビット内のＵＥ＿ＩＤ挿入の使用は、ＤＣＩブラインド検出を促進するために既に提案した使用以外に説明される。
【０２７６】
番号を付した以下の段落は、更なる実施形態を説明する。
【０２７７】
１．方法であって、
ユーザ機器（ＵＥ）固有制御情報を送信するように構成した基地局によって、
基地局の第１の識別子に基づき、第１の擬似ランダム系列を生成すること；
複数の変調情報ビットを生成するため、第１の擬似ランダム系列で複数の変調情報ビットを変調すること；
符号化変調制御情報を生成するため、複数の変調情報ビット及び複数の凍結ビットを、Ｐｏｌａｒ符号を使用して符号化することであって、符号化変調制御情報は、ＵＥ固有制御情報を含み、複数の凍結ビットは、第１の擬似ランダム系列で変調されていない、符号化すること；並びに
符号化変調制御情報をワイヤレスに送信すること
を含む方法。
【０２７８】
２．複数の情報ビットを変調する前、複数の情報ビットに、ＣＲＣマスクによって変調した巡回冗長検査（ＣＲＣ）を付加すること
を更に含む、請求項１に記載の方法。
【０２７９】
３．ＵＥ固有識別子に基づき生成した第２の擬似ランダム系列に基づき、ＣＲＣマスクを生成すること
を更に含む、請求項２に記載の方法。
【０２８０】
４．ＵＥ固有識別子に基づき生成した第２の擬似ランダム系列で複数の凍結ビットを変調すること
を更に含む、請求項１に記載の方法。
【０２８１】
５．方法であって、
ユーザ機器（ＵＥ）固有制御情報を送信するように構成した基地局によって、
第１のＵＥ固有識別子に基づき、第１の擬似ランダム系列を生成すること；
複数の変調凍結ビットを生成するため、第１の擬似ランダム系列で複数の凍結ビットを変調すること；
符号化変調制御情報を得るため、複数の変調凍結ビット及び複数の情報ビットを、Ｐｏｌａｒ符号を使用して符号化することであって、符号化変調制御情報は、ＵＥ固有制御情報を含み、複数の情報ビットは、第１の擬似ランダム系列で変調されていない、符号化すること；並びに
符号化変調制御情報をワイヤレスに送信すること
を含む方法。
【０２８２】
６．基地局の識別子に基づき生成した第２の擬似ランダム系列で複数の情報ビットを変調すること
を更に含む、請求項５に記載の方法。
【０２８３】
７．制御情報を復号する方法であって、
ユーザ機器デバイス（ＵＥ）によって、
基地局からＰｏｌａｒ符号化データをワイヤレスに受信することであって、Ｐｏｌａｒ符号化データは、複数の凍結ビット及び複数の情報ビットから符号化されている、受信すること；
複数の凍結ビットを復号するため、Ｐｏｌａｒ符号化データに対して復号手順を開始すること；
複数の凍結ビットのサブセットを復号した後、復号した凍結ビットのサブセットと、ＵＥに既知である参照凍結ビットの対応するサブセットとの間の相互相関計算を実施すること；
相互相関計算の結果が相互相関閾値を下回るという決定に基づき、復号手順を中止すること
を含む方法。
【０２８４】
８．参照凍結ビットは、ＵＥ識別子に基づき生成した擬似ランダム系列に基づき変調する、請求項７に記載の方法。
【０２８５】
９．基地局の識別子に基づく擬似ランダム系列を使用して、複数の情報ビットを復調すること；及び
複数の復調情報ビットのサブセットに対し、巡回冗長検査（ＣＲＣ）を実施すること
を更に含む、請求項７に記載の方法。
【０２８６】
１０．制御情報を復号する方法であって、
ユーザ機器デバイス（ＵＥ）によって、
基地局からＰｏｌａｒ符号化データをワイヤレスに受信することであって、Ｐｏｌａｒ符号化データは、複数の凍結ビット及び複数の情報ビットから符号化されている、受信すること；
復調行列を使用して、Ｐｏｌａｒ符号化データの復調を実施することであって、復調行列は、ＵＥ識別子に基づく第１の擬似ランダム系列及び基地局識別子に基づく第２の擬似ランダム系列のそれぞれから得られる、実施すること；
複数の凍結ビットを復号するため、Ｐｏｌａｒ符号化データに対して復号手順を開始すること；
複数の凍結ビットのサブセットを復号した後、復号した凍結ビットのサブセットと、ＵＥに既知である参照凍結ビットの対応するサブセットとの間の相互相関計算を実施すること；並びに
相互相関計算結果が相互相関閾値を下回るという決定に基づき、復号手順を中止すること
を含む方法。
【０２８７】
１１．情報ビットに対し、巡回冗長検査（ＣＲＣ）を実施すること
を更に含む、請求項１０に記載の方法。
【０２８８】
１２．方法であって、
送信器によって
複数のそれぞれの識別子に基づき、複数の擬似ランダム系列を生成すること；
複数の擬似ランダム系列のそれぞれで、ビット系列の複数のサブセットのそれぞれを変調すること；
符号化メッセージを生成するため、変調ビット系列を符号化すること；
符号化メッセージをワイヤレスに送信すること
を含む方法。
【０２８９】
１３．ビット系列の複数のサブセットは、Ｐｏｌａｒ符号の凍結ビット及び情報ビットを含む、請求項１２に記載の方法。
【０２９０】
１４．ビット系列の複数のサブセットは、巡回冗長検査（ＣＲＣ）ビットを更に含む、請求項１３に記載の方法。
【０２９１】
１５．複数の識別子は、ユーザ機器（ＵＥ）識別子及び基地局識別子を含む、請求項１２に記載の方法。
【０２９２】
１６．ビット系列の複数のサブセットは、連続している、請求項１２に記載の方法。
【０２９３】
１７．ビット系列の複数のサブセットは、連続していない、請求項１２に記載の方法。
【０２９４】
１８．ビット系列の複数のサブセットは、部分的に重複している、請求項１２に記載の方法。
【０２９５】
１９．メッセージを復号する方法であって、
受信器によって、
ビット系列を含む、未符号化メッセージから符号化した符号化メッセージをワイヤレスに受信すること；
受信器上に保存した第１の識別子に基づき、第１の擬似ランダム系列を生成すること；
ビット系列の第１のサブセットを復号するため、符号化したメッセージ上で復号工程を開始すること；
第１の擬似ランダム系列を使用して、ビット系列の第１のサブセットを復調すること；
復調したビット系列の復号した第１のサブセットと、参照ビット系列の対応するサブセットとの間の相互相関計算を実施すること；及び
相互相関計算結果が相関閾値を下回るという結果に基づき、復号手順を中止すること
を含む方法。
【０２９６】
２０．ビット系列は、Ｐｏｌａｒ符号の凍結ビット及び情報ビットを含み、復号工程は、最初に、凍結ビットのサブセットに対して実施する、請求項１９に記載の方法。
【０２９７】
２１．ビット系列は、巡回冗長検査（ＣＲＣ）ビットを更に含む、請求項２０に記載の方法。
【０２９８】
２２．識別子は、ユーザ機器（ＵＥ）識別子を含む、請求項１９に記載の方法。
【０２９９】
２３．受信器上に保存した第２の識別子に基づき、第２の擬似ランダム系列を生成すること；
ビット系列の第２のサブセットを復号すること；及び
第２の擬似ランダム系列を使用して、ビット系列の第２のサブセットを復調すること
を更に含む、請求項１９に記載の方法。
【０３００】
２４．第２の識別子は、送信器識別子である、請求項２３に記載の方法。
【０３０１】
２５．ビット系列の第２のサブセットを復号した後、復号メッセージに対して巡回冗長検査（ＣＲＣ）を実施すること
を更に含む、請求項２３に記載の方法。
【０３０２】
２６．第１の擬似ランダム系列又は第２の擬似ランダム系列の少なくとも１つは、ローリング・セキュリティ・コードに基づき初期化する、請求項１から２５のいずれか一項に記載の方法。
【０３０３】
２７．凍結ビットを復号するために使用する第１の識別子は、複数の下りリンク制御情報（ＤＣＩ）フォーマットに包括的であり、
ＣＲＣマスクのスクランブルを解除するために使用する第２の識別子は、特定のＤＣＩフォーマットに固有である、請求項１から２６のいずれか一項に記載の方法。
【０３０４】
マルチ識別子／グループ識別子／同報識別子
１．方法であって、
凍結ビット及び情報ビットを含む制御情報を符号化し、送信するように構成した基地局によって、
ユーザ機器（ＵＥ）グループ識別子に基づき、第１の擬似ランダム系列を生成すること；
複数の変調凍結ビットを生成するため、第１の擬似ランダム系列で凍結ビットの少なくとも１つのサブセットを変調すること；
ＵＥ固有識別子に基づき、第２の擬似ランダム系列を生成すること；
複数の変調情報ビットを生成するため、第２の擬似ランダム系列で情報ビットの少なくとも１つのサブセットを変調すること；
符号化変調制御情報を得るため、少なくとも複数の変調凍結ビット及び複数の変調情報ビットを、Ｐｏｌａｒ符号を使用して符号化することであって、符号化変調制御情報は、ＵＥ固有制御情報を含む、符号化すること；並びに
符号化変調制御情報をワイヤレスに送信すること
を含む方法。
【０３０５】
２．符号化した変調制御情報は、ＵＥ固有識別子に対応するＵＥによって復号可能である、請求項１に記載の方法。
【０３０６】
３．情報ビットの少なくとも１つのサブセットは、複数の巡回冗長検査（ＣＲＣ）ビットを含み、複数の変調情報ビットを生成するための、第２の擬似ランダム系列による情報ビットの少なくとも１つのサブセットの変調は、制御情報に対するＣＲＣマスクを実施することを含む、請求項１に記載の方法。
【０３０７】
４．ＣＲＣマスクの実施は、ローリング・セキュリティ・コードの実施を含み、ローリング・セキュリティ・コードは、ＵＥ固有識別子に基づき初期化し、第２の擬似ランダム系列は、ローリング・セキュリティ・コードに基づき周期的に更新する、請求項３に記載の方法。
【０３０８】
５．ＵＥグループ識別子は、基地局がサービスする１つ又は複数のＵＥの包括的識別子であり、
ＵＥ固有識別子は、特定のＵＥに固有である、請求項１に記載の方法。
【０３０９】
６．ＵＥグループ識別子は、同報無線ネットワーク一時識別子（ＲＮＴＩ）であり、同報無線ネットワーク一時識別子（ＲＮＴＩ）は、複数の凍結ビットを復号するため、基地局と通信するＵＥが使用可能である、請求項１に記載の方法。
【０３１０】
７．ＵＥグループ識別子は、グループ無線ネットワーク一時識別子（ＲＴＮＩ）であり、グループ無線ネットワーク一時識別子（ＲＴＮＩ）は、複数の凍結ビットを復調するため、基地局と通信する少なくとも１つのＵＥグループが使用可能である、請求項１に記載の方法。
【０３１１】
８．１つ若しくは複数の更なるそれぞれの識別子に基づき生成した第１の擬似ランダム系列及び１つ又は複数の更なる擬似ランダム系列は、単一の復調工程を使用して復調するように構成する、請求項１に記載の方法。
【０３１２】
９．符号化変調制御情報を得るための、少なくとも複数の変調凍結ビット及び複数の変調情報ビットの前記符号化は、符号化変調制御情報を得るため、Ｐｏｌａｒ符号を使用して、凍結ビットの未変調サブセット及び情報ビットの未変調サブセットの１つ又は複数を符号化することを更に含む、請求項１に記載の方法。
【０３１３】
１０．請求項１から９のいずれか一項に実質的に記載した、あらゆる動作又は動作の組合せを実施するように構成した基地局。
【０３１４】
１１．請求項１から１０のいずれか一項に実質的に記載した、あらゆる動作又は動作の組合せを実施するように構成したユーザ機器（ＵＥ）。
【０３１５】
１２．請求項１から１１のいずれか一項に記載の基地局内に含めるように構成した装置。
【０３１６】
１３．請求項１から１２のいずれか一項に記載のＵＥ内に含めるように構成した装置。
【０３１７】
階層化ＵＥ識別
１．無線器；及び
無線器に動作可能に結合し、Ｐｏｌａｒ復号工程における階層化初期終了を実施するように構成したプロセッサ
を備えるユーザ機器（ＵＥ）であって、
前記ＵＥは、
ワイヤレス媒体上で、Ｐｏｌａｒ符号化メッセージを受信し；
復号メッセージの凍結ビットのサブセットを得るため、Ｐｏｌａｒ符号化メッセージに対する復号工程を開始し；
凍結ビットのサブセットと、ＵＥに既知の参照ビットとの比較に基づく早期終了メトリックに基づき、非２値尺度を決定し；
非２値尺度がｓｏｆｔ  ｆａｉｌを含むという決定に基づき、復号分散巡回冗長検査（ＣＲＣ）ビットを得るための復号工程を継続し；
復号分散ＣＲＣビットが有効であるかどうかを決定し、
復号分散ＣＲＣビットが無効であるという決定に基づき、復号工程を終了する
ように構成する、ユーザ機器（ＵＥ）。
【０３１８】
２．ＵＥは、
復号分散ＣＲＣビットが有効であるという決定に基づき：
復号メッセージの複数の情報ビットを得るため復号工程を継続し；
ＵＥが、Ｐｏｌａｒ符号化メッセージの意図した受信者であることを検証するため、最終ＣＲＣ検査を実施する
ように更に構成する、請求項１に記載のＵＥ。
【０３１９】
３．ＵＥは、
非２値尺度がｓｔｒｏｎｇ  ｆａｉｌを含むという決定に基づき、分散ＣＲＣビットを復号せずに復号工程を終了する
ように更に構成する、請求項１に記載のＵＥ。
【０３２０】
４．ＵＥは、
非２値尺度がｓｔｒｏｎｇ  ｐａｓｓを含むという決定に基づき：
復号メッセージの複数の情報ビットを得るため復号工程を継続し；
ＵＥが、Ｐｏｌａｒ符号化メッセージの意図した受信者であることを検証するため、情報ビットに対する最終ＣＲＣ検査を実施する
ように更に構成し、分散ＣＲＣビットは、複数の情報ビットを得る前に検証しない、請求項１に記載のＵＥ。
【０３２１】
５．非２値尺度は、ｓｔｒｏｎｇ  ｆａｉｌ、ｓｏｆｔ  ｆａｉｌ又はｓｔｒｏｎｇ  ｐａｓｓの１つとして分類し得る計算値を含む、請求項１に記載のＵＥ。
【０３２２】
６．非２値尺度は、凍結ビットのサブセットと参照ビットとの間の不一致回数を含む、請求項１に記載のＵＥ。
【０３２３】
７．早期終了メトリックは、凍結ビットのサブセットと参照ビットとの間の不一致数と、復号凍結ビット数の稼働回数との比率を含む、請求項１に記載のＵＥ。
【０３２４】
８．請求項１から７のいずれか一項に記載のＵＥを動作させる方法。
【０３２５】
９．請求項１から８のいずれか一項に記載のＵＥ内に含めるように構成する装置。
【０３２６】
本開示の実施形態は、様々な形態のいずれかで実現することができる。例えば、いくつかの実施形態では、本発明は、コンピュータ実装方法、コンピュータ可読メモリ媒体、又はコンピュータ・システムとして実現することができる。他の実施形態では、本発明は、ＡＳＩＣ等の１つ又は複数の特別設計のハードウェア・デバイスを使用して実現することができる。他の実施形態では、本発明は、ＦＰＧＡ等の１つ又は複数のプログラム可能ハードウェア要素を使用して実現することができる。
【０３２７】
いくつかの実施形態では、非一時的コンピュータ可読メモリ媒体は、プログラム命令及び／又はデータを保存するように構成することができ、プログラム命令は、コンピュータ・システムによって実行する場合、コンピュータ・システムに方法、例えば、本明細書に記載の方法実施形態のいずれか、又は本明細書に記載の方法実施形態のあらゆる組合せ、又は本明細書に記載の方法実施形態のいずれかのあらゆるサブセット、又はそのようなサブセットのあらゆる組合せを実施させる。
【０３２８】
いくつかの実施形態では、計算デバイスは、プロセッサ（プロセッサ・セット）及びメモリ媒体を含むように構成することができ、メモリ媒体は、プログラム命令を保存し、プロセッサは、メモリ媒体からプログラム命令を読み取り、実行するように構成し、プログラム命令は、本明細書に記載の様々な方法実施形態のいずれか（又は本明細書に記載の方法実施形態ののあらゆる組合せ、又は本明細書に記載の方法実施形態のいずれかのあらゆるサブセット、又はそのようなサブセットのあらゆる組合せ）を実施するように実行可能である。デバイスは、様々な形態のいずれかで実現することができる。
【０３２９】
特定の実施形態を上記で説明してきたが、これらの実施形態は、単一の実施形態を特定の特徴に対して説明する場合でさえ、本開示の範囲を制限することを意図しない。本開示で提供する特徴の例は、別段に記載されていない限り、制限的ではなく、例示的であることを意図する。上記の説明は、そのような代替形態、修正形態及び等価物を含むことを意図し、本開示の恩恵を有する当業者には明らかであろう。
【０３３０】
本開示の範囲は、本明細書で（明示的若しくは暗示的に）開示するあらゆる特徴若しくは特徴の組合せ、又は本明細書で対処する問題のいずれか若しくは全てを軽減するか否かに関わらず、これらのあらゆる一般化を含む。したがって、特徴のあらゆるそのような組合せに対する新たな特許請求の範囲が、本出願（又は本出願に対する優先権を主張する出願）の手続き中に考案される可能性がある。特に、添付の特許請求の範囲を参照すると、従属請求項からの特徴は、独立請求項の特徴と組み合わせることができ、それぞれの独立請求項からの特徴は、添付の特許請求の範囲において列挙する特定の組合せだけでなく、あらゆる適切な様式で組み合わせることができる。
【図１】
2020530973.tif 000025
【図２】
2020530973.tif 000026
【図３】
2020530973.tif 000027
【図４】
2020530973.tif 000028
【図５】
2020530973.tif 000029
【図６】
2020530973.tif 000030
【図７】
2020530973.tif 000031
【図８】
2020530973.tif 000032
【図９】
2020530973.tif 000033
【図１０】
2020530973.tif 000034
【図１１】
2020530973.tif 000035
【図１２】
2020530973.tif 000036
【図１３】
2020530973.tif 000037
【図１４】
2020530973.tif 000038
【図１５】
2020530973.tif 000039
【図１６】
2020530973.tif 000040
【図１７】
2020530973.tif 000041
【図１８】
2020530973.tif 000042
【図１９】
2020530973.tif 000043
【図２０】
2020530973.tif 000044
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
基地局とワイヤレスに通信するように構成したユーザ機器ＵＥであって、前記ＵＥは、
無線器；及び
前記無線器に動作可能に結合したプロセッサ
を備え、前記ＵＥは、
下りリンクメッセージが、前記基地局から正常に受信されたかどうかを決定し（２１０２）；
下りリンクメッセージが正常に受信されたかどうかという前記決定に基づき、複数の変調凍結ビットを生成するため、ハイブリッド自動再送要求ＨＡＲＱ確認応答メッセージに基づき、Ｐｏｌａｒ符号の複数の凍結ビットを変調し（２１０４）；
符号化ＨＡＲＱ確認応答メッセージを得るため、Ｐｏｌａｒ符号を使用して、前記複数の変調凍結ビット及び複数の情報ビットを符号化し（２１０６）；
前記符号化ＨＡＲＱ確認応答メッセージを前記基地局にワイヤレスに送信する（２１０８）
ように構成する、ユーザ機器ＵＥ。
【請求項２】
前記ＨＡＲＱ確認応答メッセージに基づく前記複数の凍結ビットの前記変調は、前記凍結ビットと同じ長さを有する擬似ランダム２元系列を得るため、前記ＨＡＲＱ確認応答メッセージに対して拡散マッピングを実施すること、及び前記複数の凍結ビットを前記擬似ランダム２元系列で変調することを含む、請求項１に記載のＵＥ。
【請求項３】
前記ＵＥは、
前記複数の凍結ビットを変調するため、複数の確認応答／否定確認応答ＡＣＫ／ＮＡＣＫビットに基づき、前記拡散マッピングの実施とブロック符号化とを組み合わせる
ように更に構成する、請求項２に記載のＵＥ。
【請求項４】
前記複数の情報ビットは、複数の変調情報ビットを含み、
前記ＵＥは、前記下りリンクメッセージが正常に受信されたかどうかの決定に応じて、前記ＨＡＲＱ確認応答メッセージに基づき、情報ビットを変調するように更に構成する、請求項１に記載のＵＥ。
【請求項５】
前記符号化ＨＡＲＱ確認応答メッセージは、超高信頼低遅延通信ＵＲＬＬＣサービスに関連付けてワイヤレスに送信する、請求項１に記載のＵＥ。
【請求項６】
前記ワイヤレス送信は、前記基地局によってスケジュール設定した無線リソースを使用して実施する、請求項１に記載のＵＥ。
【請求項７】
前記符号化ＨＡＲＱ確認応答メッセージを前記基地局にワイヤレスに送信することに応じて、前記ＵＥは、
前記下りリンクメッセージの早期再送信を受信する
ように更に構成する、請求項１に記載のＵＥ。
【請求項８】
下りリンクメッセージの早期再送信を実施する方法であって、前記方法は、
基地局によって、
ユーザ機器ＵＥに下りリンクメッセージを送信すること；
前記ＵＥへの前記下りリンクメッセージの送信に応じて、前記ＵＥからＰｏｌａｒ符号化ハイブリッド自動再送要求ＨＡＲＱ確認応答メッセージを受信すること（２２０２）；
凍結ビット系列を得るため、前記Ｐｏｌａｒ符号化ＨＡＲＱ確認応答メッセージに対する復号工程を開始すること（２２０４）；
前記凍結ビット系列と、否定確認応答ＮＡＣＫメッセージに関連付けた参照ビット系列との間の一致が、所定の閾値を上回ることを決定すること（２２０６）；及び
前記凍結ビット系列と、前記ＮＡＣＫメッセージに関連付けた参照ビット系列との間の一致が、所定の閾値を上回るという前記決定に基づき、前記ＵＥに対する前記下りリンクメッセージの早期再送信をスケジュール設定すること（２２０８）
を含む、方法。
【請求項９】
前記凍結ビット系列と、前記ＮＡＣＫメッセージに関連付けた参照ビット系列との間の一致が、所定の閾値を上回るという前記決定に基づき、前記復号工程の早期終了を実施すること
を更に含む、請求項８に記載の方法。
【請求項１０】
前記凍結ビット系列は、前記ＵＥによって、擬似ランダム２元系列ＰＲＢＳで変調してあり、前記ＰＲＢＳは、未符号化ＨＡＲＱ確認応答メッセージに対する拡散マッピングの実施によって得られ、前記ＰＲＢＳは、前記Ｐｏｌａｒ符号内で利用される凍結ビットの総数と同じ長さである、請求項８に記載の方法。
【請求項１１】
前記拡散マッピングの実施は、複数のＡＣＫ／ＮＡＣＫビットを変調、符号化するため、ブロック符号化と組み合わせる、請求項１０に記載の方法。
【請求項１２】
前記複数の情報ビットは、複数の変調情報ビットを含み、前記変調情報ビットは、前記下りリンクメッセージの受信に応じて、前記ＨＡＲＱ確認応答メッセージでも変調する、請求項８に記載の方法。
【請求項１３】
前記Ｐｏｌａｒ符号化ＨＡＲＱ確認応答メッセージは、超高信頼低遅延通信ＵＲＬＬＣサービスの一部として送信する、請求項８に記載の方法。
【請求項１４】
前記Ｐｏｌａｒ符号化ＨＡＲＱ確認応答メッセージを前記ＵＥから受信する前に、前記Ｐｏｌａｒ符号化ＨＡＲＱ確認応答メッセージを送信するため、前記ＵＥに向けた無線リソースをスケジュール設定すること
を更に含み、前記Ｐｏｌａｒ符号化メッセージは、前記スケジュール設定した無線リソースを通じ、前記基地局によって受信される、請求項８に記載の方法。
【請求項１５】
下りリンクメッセージの早期再送信を実施するように構成した基地局であって、前記基地局は、
無線器；
前記無線器に結合したプロセッサ
を備え、前記基地局は、
ユーザ機器ＵＥに下りリンクメッセージを送信し；
前記ＵＥへの前記下りリンクメッセージの送信に応じて、前記ＵＥからＰｏｌａｒ符号化ハイブリッド自動再送要求ＨＡＲＱ確認応答メッセージを受信し（２２０２）；
凍結ビット系列を得るため、前記Ｐｏｌａｒ符号化ＨＡＲＱ確認応答メッセージに対する復号工程を開始し（２２０４）；
前記凍結ビット系列と、否定確認応答ＮＡＣＫメッセージに関連付けた参照ビット系列との間の一致が、所定の閾値を上回ることを決定し（２２０６）；
前記凍結ビット系列と、前記ＮＡＣＫメッセージに関連付けた参照ビット系列との間の一致が、所定の閾値を上回るという前記決定に基づき、前記ＵＥに対する前記下りリンクメッセージの早期再送信をスケジュール設定する（２２０８）
ように構成する、基地局。
【請求項１６】
前記基地局は、
前記凍結ビット系列と、前記ＮＡＣＫメッセージに関連付けた参照ビット系列との間の一致が、所定の閾値を上回るという前記決定に基づき、前記復号工程の早期終了を実施する
ように更に構成する、請求項１５に記載の基地局。
【請求項１７】
前記凍結ビット系列は、前記ＵＥによって、擬似ランダム２元系列ＰＲＢＳで変調してあり、前記ＰＲＢＳは、未符号化ＨＡＲＱ確認応答メッセージに対する拡散マッピングの実施によって得られ、前記ＰＲＢＳは、前記Ｐｏｌａｒ符号内で利用される凍結ビットの総数と同じ長さである、請求項１５に記載の基地局。
【請求項１８】
前記拡散マッピングの実施は、複数の確認応答／否定確認応答ＡＣＫ／ＮＡＣＫビットを変調、符号化するため、ブロック符号化と組み合わせる、請求項１７に記載の基地局。
【請求項１９】
前記複数の情報ビットは、複数の変調情報ビットを含み、前記変調情報ビットは、前記下りリンクメッセージの受信に応じて、前記ＨＡＲＱ確認応答メッセージでも変調する、請求項１５に記載の基地局。
【請求項２０】
前記基地局は、
前記Ｐｏｌａｒ符号化ＨＡＲＱ確認応答メッセージを前記ＵＥから受信する前に、前記Ｐｏｌａｒ符号化ＨＡＲＱ確認応答メッセージを送信するため、前記ＵＥに向けた無線リソースをスケジュール設定する
ように更に構成し、前記基地局は、前記スケジュール設定した無線リソースを通じ、前記Ｐｏｌａｒ符号化メッセージを受信するように更に構成する、請求項１５に記載の基地局。
【国際調査報告】
2020530973.tif 000045
2020530973.tif 000046